(57)【要約】ＡＣＬを抑制するための技術が本明細書で開示される。１の態様に準じて、１の方法をＷＴＲＵに実装することができる。この方法は、ＷＴＲＵが動作しているＰＬＭＮを識別するステップを含むことができる。さらに、この方法は、識別されたＰＬＭＮに基づいて、ＣＳＧの選択を制御するステップを含むことができる。例えば、ＰＬＭＮ毎に、ＷＴＲＵは、ユーザーに対して、すべてのＣＳＧまたはＯＣＬのＣＳＧのみを表示することができる。
2013524650.tif 000002
【特許請求の範囲】
【請求項１】
無線送受信ユニット（ＷＴＲＵ）において、
ＣＳＧ（closes subscriber group）識別子を使用することによって、ＣＳＧセルへのアクセスを要求するステップと、
前記ＣＳＧセルへのアクセスの拒否を示すメッセージを受信するステップであって、前記メッセージにより、前記ＷＴＲＵが、ＡＣＬ（allowed CSG list）を抑制するために、前記ＣＳＧ識別子のユーザー選択を回避することが可能となる、ステップと、
を備えることを特徴とする方法。
【請求項２】
前記メッセージを受信したことに応答して、前記ＣＳＧ識別子のユーザーへの提示を回避するステップを備えることを特徴とする請求項１に記載の方法。
【請求項３】
前記メッセージを受信したことに応答して、前記ＣＳＧ識別子が、抑制されたＡＣＬに含まれることを示すインジケーターをユーザーに提示するステップを備えることを特徴とする請求項１に記載の方法。
【請求項４】
前記メッセージは、前記ＣＳＧセルのマニュアル選択が許可されていないことを示し、
前記方法は、前記メッセージを受信したことに応答して、前記ＣＳＧセルのマニュアル選択が許可されないことを示すインジケーターをユーザーに提示するステップを備える、
ことを特徴とする請求項１に記載の方法。
【請求項５】
ＷＴＲＵにおいて、
前記ＷＴＲＵが動作しているパブリックランドモバイルネットワーク（ＰＬＭＮ）を識別するステップと、
前記識別されたＰＬＭＮに基づいて、ＣＳＧの選択を制御するステップと、
を備えることを特徴とする方法。
【請求項６】
前記ＰＬＭＮを識別するステップは、前記ＰＬＭＮをホームＰＬＭＮ（ＨＰＬＭＮ）および移動先ＰＬＭＮ（ＶＰＬＭＮ）のうちの一方であるとして識別するステップを備えることを特徴とする請求項５に記載の方法。
【請求項７】
前記ＰＬＭＮを識別するステップは、前記ＷＴＲＵがＨＰＬＭＮ内にあると判定するステップを備え、
前記ＷＴＲＵが、前記ＨＰＬＭＮ内にあると判定したことに応答して、
ＡＣＬを抑制するステップと、
ＣＳＧセルのユーザー選択を抑制するステップと、
を備えることを特徴とする請求項５に記載の方法。
【請求項８】
前記識別されたＰＬＭＮに基づいて、利用可能なＣＳＧセルをユーザーに提示するステップを備えることを特徴とする請求項５に記載の方法。
【請求項９】
前記利用可能なＣＳＧセルを前記ユーザーに提示するステップは、ＯＣＬ（オペレーター制御リスト）に含まれるＣＳＧセルおよび利用可能なＣＳＧセルを、前記ユーザーに提示するステップを備えることを特徴とする請求項８に記載の方法。
【請求項１０】
前記ユーザーが前記ＯＣＬの一部である前記ＣＳＧセルのみを選択することを許可するステップを備えることを特徴とする請求項９に記載の方法。
【請求項１１】
別のＣＳＧセルに切り替えるためのユーザー入力を受信するステップと、
前記ユーザー入力を受信したことに応答して、前記その他のＣＳＧセルを選択するステップと、
を備えることを特徴とする請求項５に記載の方法。
【請求項１２】
前記その他のＣＳＧセルは、ＯＣＬから選択されることを特徴とする請求項１１に記載の方法。
【請求項１３】
ＷＴＲＵにおいて、
ＯＭＡ−ＤＭ（Open Mobile Alliance Device Management）およびＳＩＭ−ＯＴＡ（subscriber identity module over-the-air）通信接続のうちの一方から、前記ＷＴＲＵがＡＣＬの抑制を制御することを可能にするメッセージを受信するステップと、
前記メッセージを受信したことに応答して、前記ＡＣＬの抑制を制御するステップと、
を備えることを特徴とする方法。
【請求項１４】
前記メッセージは、前記ＡＣＬの前記抑制に対する持続時間を示し、
前記方法は、前記持続時間に基づいて、抑制を制御するステップを備える、
ことを特徴とする請求項１３に記載の方法。
【請求項１５】
前記メッセージは、前記ＷＴＲＵが前記ＡＣＬにあるＣＳＧセルのユーザー選択を回避することを可能にし、
前記抑制を制御するステップは、前記メッセージを受信したことに応答して、前記ＡＣＬにある前記ＣＳＧセルの選択を回避するステップを備える、
ことを特徴とする請求項１３に記載の方法。
【請求項１６】
前記抑制を制御するステップは、前記ＡＣＬにあるＣＳＧセルの選択を抑制するステップを備えることを特徴とする請求項１３に記載の方法。
【請求項１７】
前記抑制を制御するステップは、前記ＡＣＬの抑制を終了するステップを備えることを特徴とする請求項１３に記載の方法。
【請求項１８】
前記ＷＴＲＵの前記ＡＣＬが抑制されているかのインジケーションを伝達するステップを備えることを特徴とする請求項１に記載の方法。
【請求項１９】
ＰＬＭＮに対し、前記ＡＣＬについての抑制ステータスを保存するステップを備えることを特徴とする請求項１に記載の方法。
【請求項２０】
前記ＡＣＬの抑制を制御するステップは、前記ＷＴＲＵが前記ＰＬＭＮ内にあるかに基づいて、前記ＡＣＬの抑制を制御するステップを備えることを特徴とする請求項１９に記載の方法。
【発明の詳細な説明】
【技術分野】
【０００１】
本出願は、無線通信に関する。
【背景技術】
【０００２】
本出願は、２０１０年４月２日に出願した米国特許仮出願第６１／３２０、３５４号、２０１０年８月１３日に出願した米国仮特許出願第６１／３７３、４７８号、および２０１０年１１月１日に出願した米国仮出願第６１／４０８、８０２号の利益を主張し、それらの内容は参照により本明細書に組み込まれる。
【０００３】
３ＧＰＰロングタームエボリューション（ＬＴＥ）プログラムの現在の作業は、新しい技術、アーキテクチャー、および技法を、新しいＬＴＥ環境および構成にもたらし、これにより、スペクトル効率の改善、遅延時間の短縮、および無線リソースの利用性の向上を提供し、ユーザーエクスペリエンスの高速化、ならびにコストを低減しつつ豊富なアプリケーションおよびサービスをもたらすことである。
【０００４】
これらの作業の一貫として、３ＧＰＰでは、ＬＴＥ（また、場合によってはその他のセルラー標準規格）にホームＮｏｄｅＢ、またはホームエンハンスドＮｏｄｅＢ（ＨｅＮＢ）の概念を導入した。ＨｅＮＢは、無線ＬＡＮ（ＷＬＡＮ）アクセスポイント（ＡＰ）に類似する物理デバイスを指す。ＨｅＮＢは、家庭または小規模事業所などの極端に小さなサービスエリア上で、ＬＴＥサービスへのアクセスをユーザーに提供する。ＨｅＮＢは、例えば、公衆インターネット接続を使用することによって、オペレーターのコアネットワークに接続することが意図される。これは、ＬＴＥが展開されておらず、および／またはレガシ３ＧＰＰ無線アクセス技術（ＲＡＴ）のカバレッジがすでに存在しているエリアでは特に有用となりうる。これは、例えば地下鉄またはショッピングモールにいる間に生じる無線伝送問題に対して、ＬＴＥカバレッジが低いか、または存在していないと思われるエリアでも有用となりうる。
【０００５】
セルは、ＨｅＮＢによって提供される無線カバレッジが利用可能であるエリアを指す。ＨｅＮＢによって展開されるセルは、そのセルのサービスへのアクセス権を有する加入者のグループ（例えば、家族）によってのみアクセスされ、そのようなセルは、ＨｅＮＢセル、またはより一般的に、ＣＳＧ（Closed Subscriber Group）セルと称されうる。ＨｅＮＢを使用して、ＬＴＥカバレッジが望まれるエリア上に１または複数のＣＳＧセルを展開することができる。ＣＳＧセルという用語は、ＬＴＥサービスのためのＨｅＮＢにより、またはＷＣＤＭＡもしくはその他のレガシ３ＧＰＰ−ＲＡＴサービスのためのＨＮＢにより、展開されるセルに使用されうる。
【０００６】
場合によっては、例えば、悪意のあるユーザーまたはユーザーのグループが、不要なシグナリングによりネットワークに過負荷をかけることによってネットワークを攻撃することがある。その結果、ネットワークは過負荷状態となり、ネットワークにより提供されるサービスの品質が著しく低下する可能性がある。さらに、差別化されたサービス態様、および起こりうる詐欺行為を防ぐために、移動先ネットワーク（visited network）上でローミングしながら、加入者がＣＳＧセルにアクセスするのを制限することを望む無線ネットワークオペレーターが存在する場合もある。少なくともこれらの理由から、このような行為を防止または阻止するための技法を提供することが望まれている。
【発明の概要】
【０００７】
本明細書で開示するのは、許可されたＣＳＧリスト（ＡＣＬ：allowed CSG list）を抑制するためのシステムおよび方法である。１の態様に準じて、１の方法を無線送受信ユニット（ＷＴＲＵ）に実装することができる。この方法は、ＷＴＲＵが動作しているパブリックランドモバイルネットワーク（ＰＬＭＮ：public land mobile network）を識別するステップを含むことができる。さらに、この方法は、識別されたＰＬＭＮに基づいて、ＣＳＧの選択を制御するステップを含むことができる。例えば、ＰＬＭＮ毎に、ＷＴＲＵは、ユーザーに対して、すべてのＣＳＧ、またはオペレーターＣＳＧリスト（ＯＣＬ：operator CSG list）のＣＳＧのみを表示することができる。
【０００８】
別の態様に準じて、１の方法をＷＴＲＵに実装することができる。この方法は、ＣＳＧ識別子を使用することによって、ＣＳＧセルへのアクセスを要求するステップを含むことができる。さらに、この方法は、ＣＳＧセルへのアクセスの拒否を示し、ＷＴＲＵに対し、ユーザーがＣＳＧ識別子を選択することを防止し、ＡＣＬを抑制することを可能とさせるメッセージを受信するステップを含むことができる。
【０００９】
別の態様に準じて、ＷＴＲＵで実装された方法は、ＯＭＡ−ＤＭ（Open Mobile Alliance Device Management）、およびＳＩＭ−ＯＴＡ（subscriber identity module over-the-air）通信接続のうちの一方から、ＷＴＲＵがＡＣＬを抑制することを可能にするメッセージを受信するステップを含むことができる。この方法は、メッセージを受信することに応答して、ＡＣＬの抑制を制御することも含むことができる。
【００１０】
この「発明の概要」は、以下の「発明を実施するための形態」でさらに説明される概念の中から選択したものを簡略化した形式で紹介するために提供される。この「発明の概要」は、特許請求の範囲に記載された内容の重要な特徴または本質的な特徴を特定することを意図しておらず、特許請求の範囲に記載された内容の範囲を限定するために使用されることも意図していない。さらに、特許請求の範囲に記載された内容は、本開示の任意の部分で明記されるある不利な点、または全ての不利な点を解決するある制限を限定するものでもない。
【図面の簡単な説明】
【００１１】
添付図面と併せて例として与えられる以下の説明から、さらなる詳細な理解をすることができる。
【００１２】
【図１】本開示の実施形態に準じて、複数のＷＴＲＵおよびＨｅＮＢを含む無線通信システムの例を表すブロック図である。
【図２】本開示の実施形態に準じて、図１に示される無線通信システムのＷＴＲＵおよびＨｅＮＢの例を表すブロック図である。
【図３】本開示の実施形態に準じて、ＡＣＬの使用を抑制するための方法の例を表すフローチャートである。
【図４】本開示の実施形態に準じて、連続マニュアルＣＳＧ選択によるシグナリングを制限するための方法の例を表すフローチャートである。
【図５】１または複数の開示された実施形態が実装されうる通信システムの例を表すシステム図である。
【図６】図５で表された通信システム内で使用されうるＷＴＲＵの例を表すシステム図である。
【図７】図５で表された通信システム内で使用されうる無線アクセスネットワークおよびコアネットワークの例を表すシステム図である。
【図８】図５で表された通信システム内で使用されうる無線アクセスネットワークおよびコアネットワークの別の例を表すシステム図である。
【図９】図５に表された通信システム内で使用されうる無線アクセスネットワークおよびコアネットワークの別の例を表すシステム図である。
【発明を実施するための形態】
【００１３】
本明細書で開示するのは、ＡＣＬを抑制するためのシステムおよび方法である。１の態様に準じて、１の方法をＷＴＲＵに実装することができる。この方法は、ＷＴＲＵが動作しているＰＬＭＮを識別するステップを含むことができる。さらに、この方法は、識別されたＰＬＭＮに基づいて、ＣＳＧの選択を制御するステップを含むことができる。例えば、ＰＬＭＮ毎に、ＷＴＲＵは、ユーザーに対して、すべてのＣＳＧまたはＯＣＬのＣＳＧのみを表示することができる。本開示の発明対象の態様および種々のその他の態様は、本明細書さらに詳しく説明される。
【００１４】
これ以降に参照される「無線送受信ユニット」または「ＷＴＲＵ」の用語は、ユーザー機器（ＵＥ）、移動局、固定もしくは移動加入者ユニット、ページャ、携帯電話、携帯情報端末（ＰＤＡ）、コンピューター、または無線環境で動作するように構成されたその他のタイプのユーザーデバイスを含むが、これらに限定されない。これ以降に参照される「基地局」の用語は、ＮｏｄｅＢ、サイトコントローラ、アクセスポイント（ＡＰ）、または無線環境で動作するように構成されたその他のタイプのインターフェースデバイスを含むが、これらに限定されない。
【００１５】
図１は、複数のＷＴＲＵ１０２（ＷＴＲＵ１、２、および３）、ならびにＨｅＮＢ１０４を含む無線通信システム１００の例を表すブロック図である。図１を参照すると、ＷＴＲＵ１０２（ＷＴＲＵ１、２、および３）は、ＨｅＮＢ１０４と通信する。ＷＴＲＵ１０２の例示的な構成は、図１で記載されるが、無線デバイスと有線デバイスの任意の組み合わせが無線通信システム１００に含まれてもよいことに留意されたい。
【００１６】
図２は、図１の無線通信システム１００のＷＴＲＵ１０２およびＨｅＮＢ１０４の例を表すブロック図である。図１に示すように、ＷＴＲＵ１０２は、ＨｅＮＢ１０４と通信する。図２を参照すると、ＷＴＲＵ１０２は、プロセッサ２００、送信機２０２、受信機２０４、およびアンテナ２０６を含む。送信機２０２および受信機２０４は、プロセッサ２００と通信する。アンテナ２０６は、送信機２０２および受信機２０４の両方と通信して、無線データの送信および受信を円滑にする。ＷＴＲＵ１０２のプロセッサ２００は、セル選択を実行するように構成されている。
【００１７】
ＨｅＮＢ１０４は、プロセッサ２０８、送信機２１０、受信機２１２、およびアンテナ２１４を含む。送信機２１０および受信機２１２は、プロセッサ２０８と通信する。アンテナ２１４は、送信機２１０および受信機２１２の両方と通信して、無線データの送信および受信を円滑にする。ＨｅＮＢ１０４のプロセッサ２０８は、セル選択に使用可能な情報をＷＴＲＵ１０２に提供するように構成される。
【００１８】
ＨｅＮＢ１０４は、１または複数のＷＴＲＵを含みうるＣＳＧに、加入ベースの無線サービスアクセスを提供することができる。ＨｅＮＢ１０４は、真に設定されたＣＳＧインジケーター、およびＣＳＧ識別番号をブロードキャストして、当該識別番号に関連するＣＳＧユーザーにのみサービスを提供してもよい。例えば、ＣＳＧインジケーターおよびＣＳＧ識別番号は、ＷＴＲＵ１０２（ＷＴＲＵ１、２、および３）に伝達してもよい。それに加えて、ＨｅＮＢ１０４は、ＣＳＧユーザーと非ＣＳＧユーザーとの両方に属するＷＴＲＵにアクセス権が付与されるハイブリッドモードで動作してもよい。ハイブリッドモードでは、ＨｅＮＢ１０４は、偽に設定されたＣＳＧインジケーターおよびＣＳＧ識別番号をブロードキャストしてもよい。
【００１９】
ＣＳＧセルアクセスでは、ＷＴＲＵは、ＷＴＲＵのアクセスが許可されるＣＳＧセル（例えば、ＨｅＮＢ１０４）のＣＳＧ識別番号を包含する２つのリストを保持してもよい。これらのリストは、ＯＣＬおよびＡＣＬを指す。ＯＣＬは、読み取り専用であり、オペレーターのみが修正できるが、ＡＣＬは、ＷＴＲＵが修正することができる。例えば、ＷＴＲＵは、ＮＡＳ（non-access-stratum）プロシージャーの結果に基づいて、ＡＣＬを修正してもよい。ＯＣＬとＡＣＬとの両方を修正する別の例示的な方法では、ＯＭＡ−ＤＭ（Open Mobile Alliance Device Management）プロシージャーを使用して、ＷＴＲＵのリストを修正し、およびＳＩＭ−ＯＴＡ（subscriber identity module over-the-air）プロシージャーを使用して、汎用加入者識別モジュール（ＵＳＩＭ：universal subscriber identity module）のリストを修正する。
【００２０】
図１で示すシステム１００などの無線通信システムでは、利用可能であれば、１または複数のＣＳＧをＷＴＲＵ１０２のユーザーに対して表示してもよい。例えば、マニュアルＣＳＧ選択の一環として、１または複数のＣＳＧをユーザーに対して表示してもよい。例えば、当該表示は以下の順序、（１）ＡＣＬにＣＳＧ識別番号が含まれるＣＳＧ、（２）ＯＣＬにＣＳＧ識別番号が含まれるＣＳＧ、（３）ＡＣＬまたはＯＣＬにＣＳＧ識別番号が含まれないその他のＣＳＧ、で行われる。
【００２１】
ＣＳＧのユーザー選択に応答して、ＷＴＲＵ１０２は、ＣＳＧ−ＩＤがＯＣＬまたはＡＣＬのいずれにもない場合に、そのＣＳＧに関連付けるネットワークに登録することを試みてもよい。例えば、ＷＴＲＵ１０２は、ＨｅＮＢ１０４に、トラッキングエリア更新（ＴＡＵ）／ルーティングエリア更新（ＲＡＵ）／ロケーションエリア更新（ＬＡＵ）リクエストを送信して、ユーザーが、ＯＣＬまたはＡＣＬのいずれにもＣＳＧ−ＩＤを有しないＣＳＧセルを選択したことをネットワークに通知してもよい。ネットワークの応答に応じて、ＷＴＲＵ１０２は、ＣＳＧセルへのアクセス権が付与され、これにより、ユーザーはＣＳＧセルを手動で選択してもよい。例えば、ＷＴＲＵ１０２は、ＷＴＲＵ１０２がＨｅＮＢ１０４へアクセスすることを可能にするＴＡＵアクセプトメッセージを受信してもよい。しかしながら、ＡＣＬの使用を抑制し、および／またはＷＴＲＵがマニュアルＣＳＧ表示および選択に応答する仕方を変更することが望ましい状況の場合がある。
【００２２】
本明細書で開示されるシステムおよび方法の実施形態を使用することで、オペレーターは、ＡＣＬを無効にすること、ユーザーの特定されたグループに対してカスタマイズされたＨｅＮＢ名を表示すること、ＯＣＬのＣＳＧの名前がＡＣＬの名前に優先することを保証すること、およびＡＣＬを通じて一時的メンバーシップＣＳＧを管理でき、その一方でＯＣＬを通じて永久的メンバーシップを管理できること、さらには理解されるようなその他の種々の機能を実行することができる。さらに、悪意のあるユーザーまたはユーザーのグループが、不要なシグナリングでネットワークに過負荷をかけることによりネットワークを攻撃することを防ぐために、システムおよび方法の実施形態を使用することができる。
【００２３】
さらに、ＣＳＧリストの抑制が、（１）ＷＴＲＵがホームＰＬＭＮ（ＨＰＬＭＮ：home PLMN）に位置し、ＡＣＬは抑制され、マニュアル選択が許可される条件、（２）ＷＴＲＵがＨＰＬＭＮに位置し、ＡＣＬは抑制され、マニュアル選択が抑制または許可されない条件、（３）ＷＴＲＵがＨＰＬＭＮに位置し、ＡＣＬは許可され、マニュアル選択が抑制される条件、（４）ＷＴＲＵが移動先ＰＬＭＮ（ＶＰＬＭＮ：visited PLMN）に位置し、ＡＣＬは抑制され、マニュアル選択が許可される条件、（５）ＷＴＲＵがＶＰＬＭＮに位置し、ＡＣＬは抑制され、マニュアル選択も抑制される条件、（６）ＷＴＲＵがＶＰＬＭＮに位置し、ＡＣＬは許可され（抑制されず）、マニュアル選択が抑制または許可される条件、へ適用されてもよいが、これらに限定されない。
【００２４】
本開示の実施形態に準じて、ＡＣＬ抑制は、特定のＲＡＴ（無線アクセス技術）上で、またはＰＬＭＮ毎に行われてもよい。例えば、本明細書で開示される実施形態は、ＬＴＥ、３Ｇシステム、および／またはＣＳＧに類似する機能を有するその他のシステムに適用可能である。それに加えて、ＡＣＬ抑制を、ＷＴＲＵ毎に／ユーザー毎に、またはプロファイル毎に行われてもよい。例えば、ＡＣＬ抑制は、すべてのＷＴＲＵ、または所定のサブスクリプションもしくはプロファイルと一致するサブスクリプションもしくはプロファイルを有するユーザーに対して実行されてもよい。
【００２５】
本開示の１の実施形態では、ＡＣＬの抑制は、タイマーに関連してもよい。例えば、タイマーは、設定された時間に対して、個別のＣＳＧ−ＩＤ、ＣＳＧ−ＩＤのグループ、またはＡＣＬが全体として無効化されうるように設定されてもよい。タイマーは、既知の値で、または抑制／無効化を開始した時点から、事前設定された／シグナリングされた持続時間の間、抑制／無効化が継続する範囲で、事前設定されてもよい。抑制／無効化は、ある時刻で適用されるように、シグナリングまたは事前設定されてもよい。例えば、ＡＣＬを午後６時から午後８時までの間抑制されてもよい。個別のＣＳＧの抑制またはＣＳＧのサブセットの抑制を行う場合、各インスタンスが異なるタイマー設定値でセットされうる抑制タイマーの複数のインスタンスがあってもよい。
【００２６】
本開示の別の実施形態では、ＡＣＬの使用は、ＡＣＬにおけるＣＳＧ−ＩＤが一定数を超えたときに抑制されてもよい。例えば、ＵＥに対して事前設定またはシグナリングされうる一定数のエントリーがすでにＡＣＬ内に存在しているときに、ＷＴＲＵがＡＣＬに追加されるのを回避してもよい。このことは、セットされた場合に、さらなるＣＳＧ−ＩＤが追加されないことをシグナリングすることができるＷＴＲＵのフラグとともに使用されてもよい。フラグをセットすることは、ＡＣＬに対してＣＳＧ−ＩＤの数を追加することを制限するものとして解釈してもよい。エントリー数が最大数に達した場合、ＣＳＧ−ＩＤがＡＣＬから削除されると、新しいエントリーが追加されてもよい。「最良のセル理論」技術は、初期セル選択または周波数内セル再選択に対して適用されてもよい。例えば、ＵＥは、最高ランクのセルとなりうる適切なセルを（再）選択してもよい。
【００２７】
本開示の別の実施形態では、マニュアルセル選択を干渉回避のメカニズムとして使用して、干渉の影響を受けるユーザーが、より適したセルをサービングセルとして手動で選択することの補助となりうる。例えば、セル１およびセル２は、共通チャネルのセルであり、同一のＣＳＧ（つまり、ＣＳＧ１）に属する。さらに、セル２は、ＣＳＧ２にも属しているが、セル１はそうでない。セル選択プロシージャー、または周波数内セル再選択プロシージャーでは、ＷＴＲＵが、例えばセル１が最高ランクのセルである場合に、セル２への選択または再選択が可能でない場合がある。ＷＴＲＵが、マクロＷＴＲＵからセル１におけるＵＬ干渉を受けている場合がある状況では、ＨＮＢ−ＷＴＲＵは、セル１に固定され、ＨＮＢ−ＷＴＲＵについては、よりよいサービングセルとなるセル２への選択または再選択することができない場合がある。さらに、初期アクセスの場合、ＷＴＲＵは、セル２が良好な候補であっても、セル１を通じてシステムにアクセスすることができない場合がある。マニュアルＣＳＧ選択により、ユーザーはＣＳＧ２を選択することができ、ひいては、セル２を選択することができる。
【００２８】
本開示の別の実施形態では、セル１およびセル２は、それぞれ、ＣＳＧ１およびＣＳＧ２に属してもよい。両方のセルは、異なる周波数で動作してもよい。ＣＳＧ間アイドルモードモビリティーの状況においては、適切なＣＳＧセルに収まっている間、ＷＴＲＵは、サービングセルがその周波数上で最高ランクのセルであるとみなされうる限りにおいて、サービングセルの周波数が最高優先度の周波数（つまり、８つのネットワーク設定値または最高のＨＣＳ優先度より高い）とみなしてもよい。さらに、セル選択またはセル再選択を目的として、ＣＳＧセル間で定義された相対的優先度がない場合がある。ＷＴＲＵにとって、通常サービスを受けるために選択もしくは再選択し、収まるのに、セル１とセル２の両方が適したセルであると仮定すると、セル１が最高ランク（もっとも強固な）のセルであるとして、ＷＴＲＵはセル１を常に選択してもよい。ＷＴＲＵは、マクロＷＴＲＵからのＵＬ干渉を回避するために、セル２を自動的に選択または再選択することができない場合がある。初期アクセスの場合、ＷＴＲＵは、セル２が良好な候補であっても、セル１を通じてシステムにアクセスすることができない場合がある。
【００２９】
本開示の別の実施形態では、セル間のロードバランシング、すなわち負荷分散のためにマニュアルセル選択が使用されてもよい。例えば、セル１およびセル２が適切なセルである場合、負荷分散が最新のセル選択またはセル再選択のルールに反しうるとしても、セル１およびセル２は、セル間の負荷を分散させるように選択されてもよい。
【００３０】
１の実施形態では、ネットワークはＣＳＧ（マニュアルＣＳＧ選択の一環として）表示するように構成することができ、この表示は、（１）ＡＣＬおよびＯＣＬによって制限されない（つまり、検出されたＣＳＧが表示される）か、または（２）ＯＣＬのみのエントリーに制限される（つまり、両方のリストにない検出されたＣＳＧは表示されず、さらに、ＡＣＬの一部である検出されたＣＳＧも、同じエントリーがＯＣＬに存在している場合を除き表示されない）のいずれかとなる。
【００３１】
オペレーターがＯＣＬにあるエントリーのみを表示する（検出された場合）ようにＷＴＲＵを構成する理由は、ＷＴＲＵがどのＣＳＧにアクセスすることができるかを完全に制御することができるようにすることにあると仮定することができる。これは、ＷＴＲＵが、ＯＣＬにある検出されたＣＳＧのみを表示するので、マニュアル選択を介してＡＣＬに追加できるその他のＩＤがないため、実現することができる。しかしながら、一部のＣＳＧセルは、ハイブリッドモード（すなわちメンバーおよび非メンバーによるアクセスを可能にし、前者はリソースに対する優先権を有する）で動作することができる。それに加えて、ＷＴＲＵがハイブリッドモードで動作するＣＳＧを選択するときに、登録（ＴＡＵ／ＲＡＵ／ＬＡＵ）が成功したとしても、ＷＴＲＵがＣＳＧ−ＩＤをＡＣＬに追加しないようにすることが現在の挙動である。そのため、もしハイブリッドセルのＣＳＧ−ＩＤがＡＣＬに追加されないとすると、ＯＣＬにあるＣＳＧのみを表示するようにＷＴＲＵが構成されている場合であっても、ＷＴＲＵが検出されたハイブリッドモードのＣＳＧを表示することの影響はないと見られる。したがって、一部のセルがハイブリッドモードで動作するときに、これらのセルが信号強度の観点から最良のセルである可能性があり、これらを表示しないことがＵＥのサービスに影響を及ぼしうるので、表示に難点がありうる。
【００３２】
ＣＳＧリストの扱い−ＵＥはＨＰＬＭＮまたはＶＰＬＭＮに位置する
本開示の実施形態に準じて、ＣＳＧ選択の制御は、ＰＬＭＮ毎に実行されてもよい。例えば、ＷＴＲＵは、ＷＴＲＵが動作しているＰＬＭＮを識別してもよい。さらに、ＷＴＲＵは、識別されたＰＬＭＮに基づいて、ＣＳＧの選択または提示を制御してもよい。例えば、ＰＬＭＮ毎に、ＷＴＲＵはユーザーに対して、すべてのＣＳＧまたはＯＣＬにあるＣＳＧのみを表示してもよい。ＣＳＧ選択の制御は、例えば、ＷＴＲＵがＨＰＬＭＮ内、またはＶＰＬＭＮ内にあるかどうかに基づき実施されてもよい。
【００３３】
本開示の例示的な実施形態では、ＡＣＬは抑制され、マニュアルＣＳＧ選択は、ＷＴＲＵがＨＰＬＭＮまたはＶＰＬＭＮ内に位置するときに、に抑制されるか、または許可されない。ＡＣＬまたはＯＣＬの制御、および表示されるＣＳＧがＯＣＬのみから、またはＡＣＬとＯＣＬとの両方からであるか否かの制御は、ＰＬＭＮ毎で行われてもよい。この条件下で、ＷＴＲＵは、ＣＳＧセルの選択に関してＯＣＬに依存する場合があり、またＷＴＲＵは、ＣＳＧを表示し、または表示しない場合もある。例えば、ＣＳＧを表示することに関して、ＷＴＲＵは、すべての利用可能なＣＳＧ、およびＯＣＬに含まれるＣＳＧと、利用可能なＣＳＧとの両方を表示してもよく、ＷＴＲＵは、ＯＣＬリストの一部でありうるＣＳＧにタグ付けをする。別の例では、ＷＴＲＵは、ＯＣＬリストに含まれうる利用可能なＣＳＧのみを表示してもよい。部分的なユーザー選択を許可する別の例では、ＷＴＲＵは、ＣＳＧがＯＣＬの一部でありうる限り、ユーザーがＣＳＧを選択することを許可してもよい。部分的なユーザー選択を許可する別の例では、ＷＴＲＵは、現在のもの以外の新しいＣＳＧを選択できる方法で、ユーザーが新しいＣＳＧの選択をトリガー（始動）することを許可してもよいが、ユーザーは、どのＣＳＧが選択されるべきであるかを選択することは許可されない。この例では、これは、ユーザーが現在のセル上で、品質の低下を経験し、ユーザーが他のＣＳＧのセルを試したいときに生じうる。
【００３４】
別の実施形態では、ＡＣＬは許可されてもよく、マニュアルＣＳＧ選択は、ＷＴＲＵがＨＰＬＭＮに位置するときに、抑制されてもよく、または許可されなくてもよい。この条件下で、ＵＥは、ＣＳＧセルの選択にＡＣＬとＯＣＬの両方を使用してもよい。しかしながら、ＣＳＧエントリーをＡＣＬリストに追加することは、ＯＭＡまたはＯＴＡなどのオペレーター特有の方法を通じて行われる場合がある。この場合、ＷＴＲＵは、ＡＣＬとＯＣＬの両方に含まれる利用可能なＣＳＧを表示してもよい。それに加えて、ＷＴＲＵは、ＡＣＬまたはＯＣＬのいずれかに含まれない利用可能なＣＳＧを表示してもよい。部分的なユーザー選択の別の例では、ユーザーは、ＡＣＬまたはＯＣＬからのＣＳＧを、ＣＳＧ選択に使用できるかどうかを決定する選択権を与えられてもよいが、ユーザーは、特定のターゲットのＣＳＧセルを選択することは許可されない場合がある。部分的なユーザー選択の別の例では、ユーザーは、ＡＣＬまたはＯＣＬのいずれかから特定のＣＳＧを選択する選択権を与えられてもよいが、ただし、ＵＥがＨＰＬＭに位置している場合のみに限る。あるいは、ユーザーは、ＯＣＬからＣＳＧを選択することを許可されてもよい。さらに、ユーザーは、すべてのＣＳＧではなく、オペレーターによって判定されるいずれかのリストから、特定のＣＳＧを選択する選択権が許可されてもよい。これらのＣＳＧは、特定の識別子でタグ付けされてもよく、またタグ付けされなくてもよい。さらに、ユーザーからは、通常の表示されるリストが見えるが、選択後は、ＵＥは、登録メッセージを送信することができない（トラッキング／ルーティング／ロケーションエリア更新メッセージ）。これは、本明細書で開示されている実施形態のうちのどれかと併用されうる。
【００３５】
別の例示的な実施形態では、ＡＣＬは抑制され、マニュアルＣＳＧ選択は許可されてもよい。この条件下で、ＷＴＲＵは、ＡＣＬの一部となりうるＣＳＧエントリーを使用することができない。さらに、利用可能なＣＳＧのマニュアル選択では、ＣＳＧをどのリストにも挿入することもできない。ＯＣＬにはないＣＳＧのマニュアル選択は、ＷＴＲＵがＶＨＬＰＭ上にある間、そのようなＣＳＧが現在のＣＳＧと同じＴＡを有する場合であっても、ＴＡＵをトリガーする場合がある。
【００３６】
干渉の制御を補助するための手段としての「遷移」タイプのＣＳＧ上でのＷＴＲＵの一時的な許可
本開示の実施形態に準じて、ＡＣＬは、「遷移」ＣＳＧセル、またはその他の任意の名前で呼ばれることがある、特別なＣＳＧのエントリーを含むことができる。これらのセル（またはネットワーク）ではＷＴＲＵに対して一時的なアクセスを許可することができ、ＷＴＲＵを、適切なＣＳＧセルもしくはマクロセルにハンドオーバーまたはリダイレクトすることができる。ＷＴＲＵとＣＳＧセルの両方の挙動についてさらに、本明細書に手さらに詳細に説明される。
【００３７】
自律的再選択のために、ＷＴＲＵは、ＯＣＬ内のＣＳＧ、または「遷移」ＣＳＧとしてタグ付けされていないＡＣＬ内のＣＳＧを選択することができる。標準的なセル選択プロセスに従った後、ＷＴＲＵは、許可されたセルに収まることができる。しかし、いったん接続されると、ＷＴＲＵは、大きな干渉にさらされる可能性があり、これは正常な動作に弊害をもたらす場合がある。この干渉は、観察された干渉レベルに基づいて、ＷＴＲＵによって、または監視されているサービス品質などの個人的経験に基づいて、ユーザーによって判定されてもよい。干渉の発生元が、ＡＣＬ（またはＯＣＬ）の「遷移」ＣＳＧとしてタグ付けされうるＣＳＧにおけるセルである場合、ＷＴＲＵを、そのＣＳＧの干渉するセルにハンドオーバーされるか（ＷＴＲＵが接続モードである場合）、またはそのセルに再選択する（ＷＴＲＵがアイドルモードである場合）ことを許可することができる。この再選択は、ＷＴＲＵによって自律的に実行されてもよく、またはマニュアル選択を必要としてもよい。マニュアル選択が必要になる場合、ユーザーへのホワイトリストの表示は、その他のＣＳＧセル上でチャネル条件が悪い場合に、どのＣＳＧが選択されうるかをユーザーに示すためのラベルを含むことができる。
【００３８】
ＷＴＲＵが、そのようなＣＳＧを１つ選択するときに、ＷＴＲＵは、一時的アクセス権を与えられうることを認識することができる。一時的アクセス権は、ＷＴＲＵがそのセル内で接続状態を維持し、限られた期間内に完全なサービスを受けることを許可する。このアクセスの終わりに、ＷＴＲＵを、そのＷＴＲＵがメンバーシップを有しうるＣＳＧのセルに（または非ＣＳＧセルに）ハンドオーバーすることができる。そのような場合、ＷＴＲＵは、ＡＣＬ（またはＯＣＬ）にＣＳＧを保持し、「遷移」ＣＳＧラベルを保持することができる。ＷＴＲＵは、干渉抑圧をトリガーするために必要な測定結果を送信する機能を有することもできる。測定レポートはまた、セルの当初の接続先のセル、および戻ることが意図されている場所も示しうる。これは、ある種の干渉抑圧に有用である場合がある。干渉情報を含む測定レポートを受信した後、ＣＳＧセルは、次いで、当初のセル、またはその他の任意のオープンセル、またはＵＥがメンバーシップを有するＣＳＧセルへのハンドオーバーを続行することができる。そのような場合、ＷＴＲＵは、ＡＣＬ（またはＯＣＬ）にＣＳＧを保持し、「遷移」ＣＳＧラベルを保持することができる。さらに、ＣＳＧセルは、アクセス制御を実行し、ＷＴＲＵがＣＳＧに対する完全なメンバーシップを有すると判定することができる。このような場合、ＷＴＲＵは、接続状態に留まることを許可され、完全なメンバーシップを受けることができる。次いで、セルは、ＣＳＧリストから「遷移」ラベルを削除することができることをＷＴＲＵに通知することができる。この場合、ＣＳＧ−ＩＤを、それから、ＡＣＬ（またはＯＣＬ）に通常のＣＳＧとして含むことができる。
【００３９】
現在選択されているセル上のＷＴＲＵが高い干渉を有していると判定すると、ユーザーは、手動で、ＡＣＬまたはＯＣＬのいずれにもない可能性のあるＣＳＧを選択することができる。このような場合、ＷＴＲＵがそのＣＳＧセルにおいてメンバーシップを有していない可能性があるとしても、ＷＴＲＵはそれでもなおＣＳＧによる「遷移」タイプのアクセス権を付与されうる。次いで、ＣＳＧセル（またはネットワーク）は、これがＣＳＧ−ＩＤをそのＡＣＬに追加することができないことをＷＴＲＵにシグナリングすることができる。あるいは、ＣＳＧセル（またはネットワーク）は、ＣＳＧ−ＩＤをそのＡＣＬに追加し、「遷移」ＣＳＧラベルを追加することをＷＴＲＵにシグナリングすることができる。
【００４０】
セルを遷移セルとして使用することができるということを、ＳＩＢで、または初期メッセージ（つまり、ＲＲＣプロシージャー）もしくはＮＡＳメッセージでブロードキャストすることもできる。したがって、ＷＴＲＵは、そのＣＳＧにすでに接続されている必要なしに、「遷移」ラベルとともにＣＳＧ−ＩＤをＡＣＬ（またはＯＣＬ）に追加することができる。これは、測定レポート時間を削減するために使用することができるが、それは、ＷＴＲＵが完全な接続を試みず、その代わりに干渉情報を含む測定レポートだけを送信することができるからである。
【００４１】
ＡＣＬステータス（抑制されているか、または抑制されていない）にかかわらずにマニュアルＣＳＧ選択への追加の更新
マニュアルＣＳＧ選択の実施形態において、ユーザーがＣＳＧを選択するか、または与えられたＣＳＧからよりよいＣＳＧへの再選択を行うのを補助するためのインジケーションを与えることができる（表示または音声インジケーション）。このインジケーションは、干渉（ＵＬ、ＤＬ、ＵＬとＤＬの両方）、負荷（例えば、ＷＴＲＵが与えられたＣＳＧを選択した後に、選択されるセルによるサービスを受けるＷＴＲＵの個数）もしくはその両方、またはサービス品質などの品質メトリックに関するものであってよい。さらに、与えられたＣＳＧから、例えば、そのＣＳＧでのユーザーの過去の経験に応じて、ユーザーを回避するためのインジケーション（表示もしくは音声）が提供されてもよい。別の例では、ユーザーを与えられたＣＳＧに、例えば、そのＣＳＧでのユーザーの過去の経験に応じて、おびき寄せる／引き付けるためのインジケーション（表示もしくは音声）が提供されてもよい。別の例では、ＣＳＧのマニュアル探索は、ＣＳＧが表示することができないか、または、ユーザーが最近い好ましくないユーザーエクスペリエンスにさらされたＣＳＧをグレーアウト（gray out）すべきである。好ましくないユーザーエクスペリエンスは、例えば、高い干渉、好ましくないユーザーエクスペリエンスを引き起こすセル間の不均一な負荷、保証ＱＯＳ以下のＱＯＳ、またはコールドロップなどとして定義されてもよい。さらに、本開示の実施形態によりこれらの例の任意の組み合わせを構成することができる。
【００４２】
ＣＥＬＬ＿ＦＡＣＨにおけるマニュアルＣＳＧ選択
Ｃｅｌｌ＿ＦＡＣＨにある間、ＣＥＬＬ＿ＦＡＣＨにおいてマニュアルＣＳＧ選択が許可されうるというインジケーション（表示または音声）をユーザーに提供することができる。例えば、ユーザーは、ＣＳＧマニュアル選択を通じて、セル更新プロシージャーをトリガーするオプションを有してもよい。あるいは、例えば、ＤＥがＣｅｌｌ＿ＦＡＣＲにある場合であっても、通常のマニュアルＣＳＧ選択プロセスに従って、ＣＳＧセルの表示をユーザーに提供することができる。ＷＴＲＵはまた、マニュアルＣＳＧ選択がＣＥＬＬ＿ＦＡＣＲで許可されうるというネットワークからのインジケーションを提供されてもよい。これは、システム情報メッセージ、またはＲＲＣＩＮＡＳメッセージで提供されてもよい。
【００４３】
メンバーシップの失効回避のためのメカニズムとしてのマニュアルＣＳＧ選択
本開示の実施形態に準じて、ＷＴＲＵがＷＴＲＵのメンバーシップが失効しかかっているＣＳＧに属するセルに収まるか、またはＷＴＲＵのメンバーシップが失効しかかっているＣＳＧに属するセル上でサービスを受けているときに、ＷＴＲＵがまだ有効なメンバーシップを有している可能性のあるＣＳＧのリストとともに、インジケーション（表示または音声）がユーザーに提供されてもよい。次いで、ユーザーは、ユーザーに提示されるＣＳＧのリストからＣＳＧを１つ選択することによって、異なるＣＳＧへのマニュアルＣＳＧ選択をトリガーするオプションを有してもよい。マニュアルＣＳＧ選択の結果（表示または音声）の一環として、ＣＳＧメンバーシップが失効してしまった、または失効していない可能性、または残りの余裕時間に関するインジケーションをユーザーに提供することができる。
【００４４】
本開示による他の実施形態
このセクションで説明される実施形態は、それらをともに組み合わせて、または本明細書で説明されるその他の実施形態と併せて使用されてもよい。
【００４５】
本開示の一実施形態では、ＷＴＲＵは、適宜、その他の機能性（例えば、ＡＣＬの使用の抑制または許可）と併せて、マニュアルＣＳＧ選択が許可されるか否かの通知を受けることができる。このインジケーションは、システム情報、ＲＲＣ、またはＮＡＳメッセージで提供されてもよい。シグナリングされた情報は、デフォルトで、ＶＰＬＭＮに適用することができるか、またはＷＴＲＵは、マニュアルＣＳＧ選択が新しいＰＬＭＮ、サービス（トラッキング、ルーティング、およびロケーション）エリア、ＭＭＥ、ＳＧＳＮなどへのモビリティーを通じて許可されうる場合に、通知を受けることができる。このインジケーションは、ＯＭＡ−ＤＭまたはＯＴＡを介して提供されてもよい。上位レイヤは、このようなインジケーションが提供され、さらなるアクションが実行されてもよい。例えば、ユーザーは、マニュアルＣＳＧ選択が許可されるか、または許可されないかの事実に関する通知を受けてもよい。
【００４６】
本開示の別の実施形態では、ＯＣＬは、ＡＣＬに比べて高い優先度を有してもよい。例えば、ＯＣＬにあるすべてのエントリーは、ＡＣＬにあるエントリーに比べて高い優先度を有してもよい。これは、デフォルトでＷＴＲＵにおいて設定されてもよく、またはＲＲＣ／ＮＡＳもしくはＯＭＡ−ＤＭもしくはＯＴＡメッセージを介してシグナリングされてもよい。代替的優先度レベルも、ネットワーク／オペレーターポリシーに従って、シグナリングされてもよく、または構成されてもよい。したがって、ＷＴＲＵは、これがその場合であればＣＳＧのいずれかを選択することができる。このようなセル選択スキームでは、通常の規則を上書きすることができる。このような優先度は、マニュアルＣＳＧ選択を実行するときにユーザーに対して表示することもできる。
【００４７】
本開示の別の実施形態では、例えばＬＴＥでは、ＡＣＬが抑制され、ＷＴＲＵがＣＳＧセルからＮＡＳメッセージを受信し、セキュリティーチェックに失敗した場合、ＷＴＲＵは、セキュリティーチェックの失敗にもかかわらず、メッセージを考慮することを選択してもよい。
【００４８】
ＷＴＲＵによる自動セル（再）選択のためのＷＴＲＵの挙動は、検出され、かつＯＣＬにあるＣＳＧのみを表示するように構成される
このセクションでは種々の実施形態が開示される。表示されるＣＳＧを、マニュアルＣＳＧ選択の一環として、ＯＣＬリストの検出されたＣＳＧのみに制限するように、ＷＴＲＵが構成されている場合に、当該実施形態が実装されうる。
【００４９】
１の実施形態では、ＷＴＲＵは、ＡＣＬにあるエントリーを自動セル再選択に対する有効なエントリーであるとみなしてもよい。この場合、ＷＴＲＵが、ＯＣＬの一部である検出されたＣＳＧのみを表示するように構成されている場合であっても、ＷＴＲＵは、自動セル再選択（例えば、ＣＳＧセル内へのアイドルモードモビリティーまたはＣｅｌｌ＿ＦＡＣＨモビリティーに）、のために、ＡＣＬにあるエントリーをそのまま使用することができることが提案される。さらに、それでも、ＷＴＲＵが構成を受信するときに、検出された場合に、ＯＣＬにあるエントリーのみを表示するために、ＷＴＲＵが収まるセルは、ＡＣＬにあるエントリーの一部のＩＤを持つＣＳＧセルのみであると考えることも可能である。この場合、識別番号がＡＣＬにある場合であっても、ＷＴＲＵは現在のＣＳＧセル上に留まることが提案される。適宜、ＷＴＲＵは、マニュアルＣＳＧ選択をサポートするために、ＣＳＧの表示とは無関係にそのようなＣＳＧをＷＴＲＵが現在治まるセルが属するＣＳＧとして表示し続けてもよい。上記の提案および以下の提案は、アイドルモード再選択、Ｃｅｌｌ＿ＦＡＣＨモビリティー、および接続モードハンドオーバーに適用されることに留意されたい。
【００５０】
別の実施形態では、ＷＴＲＵは、自動セル再選択に対するＡＣＬにあるエントリーを考慮しなくてもよい。この場合、ＷＴＲＵは、ＣＳＧセルへの自律的な再選択（または選択、またはＣｅｌｌ＿ＦＡＣＨモビリティー、またはネットワークから指令される場合を除いたオプションの接続モードハンドオーバー）に対するＡＣＬにあるエントリーを考慮しなくてもよい（つまり、無視する）。したがって、ＷＴＲＵは、関係するモビリティータイプに対するＯＣＬにあるエントリーのみを考慮する。ＷＴＲＵが構成を受信するときに、検出される場合にＯＣＬにあるエントリーのみを表示するために、ＷＴＲＵが収まるセルは、ＡＣＬにあるエントリーの一部のＩＤを有するＣＳＧセルのみであると考えることも可能である。この場合、構成を受け取るときに、ＷＴＲＵが別のセルへ直接的に再選択することが提案される。あるいは、ＷＴＲＵは、デフォルトの、または構成された時間値の範囲内で、別のセルに再選択することが予想される。また、ＷＴＲＵは、アイドルモードに入るときに、別のセルへの再選択を実行することができる。適宜、ＷＴＲＵは、そのＩＤがＡＣＬ内にある場合であっても、現在のＣＳＧセル上に（ＯＣＬにある検出されたＣＳＧのみを表示するために構成が受信されるときに）留まってもよい。しかし、ＷＴＲＵは、次の再選択が行われるまで現在のセル上で一時的に許可され、その後ＷＴＲＵはそこで一時的に許可されたとしてもＣＳＧを有効なものとして考慮しない。しかし、その一方で、ＡＣＬにあるその他のエントリーは、自律的セル再選択に関して考慮されない。それに加えて、ＷＴＲＵがしばらくの間ＣＳＧセル上に留まっている場合、ＷＴＲＵが現在収まる（そしてＡＣＬの一部である）ＣＳＧに関連付けられる実際のＣＳＧ−ＩＤまたはＨ（ｅ）ＮＢ名が、表示に示されている場合に、ＷＴＲＵがユーザーに対して表示される内容を変更することが提案される。このようにして、ユーザーは、ＷＴＲＵが別のセルに対して実際に再選択を行うと考え、ユーザーがマニュアルＣＳＧ選択を実行しようとした場合に、ユーザーはＣＳＧ−ＩＤを検出リストの一部として見ない。別の代替的形態では、マニュアルＣＳＧ選択を目的とするＣＳＧの表示は、ＷＴＲＵが現在収まるセルが属するＣＳＧの表示とは無関係に取り扱われる。その場合、ＷＴＲＵが収まるＣＳＧは、現在使用されているＣＳＧとして常に表示されるが、それと並行して、マニュアルＣＳＧ選択を目的とするＣＳＧの表示は、ＷＴＲＵが現在収まっているＣＳＧを表示してもよく、または表示しなくてもよい。
【００５１】
さらに、ＷＴＲＵは、ＷＴＲＵがマニュアル選択のためＯＣＬにあるエントリーのみを表示するように構成されている場合であっても、ＯＣＬの一部でないＣＳＧ（つまり、ＣＳＧはＡＣＬの一部であるか、または一部でない場合がある）にＷＴＲＵを移動させる任意のＨＯに適合しうる。この場合、ＷＴＲＵは、ＷＴＲＵがある現在のＣＳＧが、実際にはＯＣＬの一部でないことをユーザーに知られないように表示を修正してもよい。表示は空であってよく、例えば、何も表示されず、ユーザーは、ＷＴＲＵがマクロセル上にあると考える。適宜、ＷＴＲＵは、マニュアルＣＳＧ選択をサポートするために、ＣＳＧの表示とは無関係にそのようなＣＳＧを新しいサービングセルが属するＣＳＧとして表示し続けてもよい。
【００５２】
あるいは、ＷＴＲＵは、ＡＣＬにあるエントリーが自動セル再選択またはモビリティーのその他の形態について考慮されるべきである場合に、通知を受けることができる。また、ＡＣＬエントリーを考慮する方法に関するそのようなインジケーションがＷＴＲＵに送信されない場合に、デフォルトの挙動を仮定することができる。
【００５３】
両方の実施形態に関して、ＯＣＬにある検出されたＣＳＧのみを表示するために構成が受信されるときに、ＷＴＲＵがＣＳＧセル（そのＩＤはＡＣＬの一部のみ）上に留まることが許可されない場合、ＷＴＲＵおよび／またはネットワークによって種々のアクションが実行されてもよい。例えば、ＷＴＲＵは、ＯＣＬの一部であるその他のＣＳＧセルへの接続モードＨＯをトリガーすることを目的として、近接インジケーション（proximity indication）をネットワークに送ることができる。近接インジケーションは、ＷＴＲＵがその他のＣＳＧセルに近接していることを示すことができるか、またはこのインジケーションは、ＷＴＲＵがＣＳＧセルの近傍から離れることを、その場合でないとしても示すことができる。この例は、ネットワークがマクロセルまたはその他のＣＳＧセルへの接続モードＨＯを実行することに対するトリガーとなりうる。別の例では、コアネットワーク（つまり、該当する場合にＭＭＥ、ＳＧＳＮ、ＭＳＮまたはＨＮＢ−ＧＷ）は、識別番号がＷＴＲＵのＡＣＬのみにある場合に、あるＷＴＲＵがそのＣＳＧ上に留まることがサポートされないことをＣＳＧ／ＨＮＢ−ＧＷに指示し（これは次いでＣＳＧへの指示となる）、ＷＴＲＵは、ＯＣＬにあるエントリーのみを表示するインジケーションをすでに受信している。そこで、受信側ノードは、次いで、ハンドオーバーを実行して、ＷＴＲＵが許可され、制限のあるその他のセルにＷＴＲＵを移動させることができる。
【００５４】
ＷＴＲＵが、ＯＣＬ一部のみである、検出されたＣＳＧのみを表示する構成を受信する場合、ＷＴＲＵは、ＯＣＬの一部でなくてもハイブリッドＣＳＧセルを表示することができる。これは、ネットワークへの登録をトリガーするハイブリッドセルのマニュアル選択（ＷＴＲＵはＷＴＲＵのリストのいずれにもない選択されたセルのＩＤの登録を送信する）がＡＣＬへの関連するＩＤの追加を引き起こさないからである。そのため、ＯＣＬの一部でない検出されたハイブリッドセルを表示することに不都合はない。
【００５５】
本明細書で開示される実施形態は、任意の組み合わせにおいて、またどのようなシステム（例えば、３Ｇ、ＬＴＥなどについても）、該当する場合には必ず、使用することができる。さらに、本明細書で開示される実施形態は、ＨＰＭＮおよび／またはＶＰＬＭＮに適用することができる。
【００５６】
図３は、本開示の実施形態によるＡＣＬの使用を抑制するための例示的な方法のフローチャートを表す。この例示的な方法は、ＰＬＭＮのリスト毎に適用することができる。例えば、ＷＴＲＵは、ＰＬＭＮの変更が生じたときにＡＣＬが抑制されるか否かについてＷＴＲＵが通知を受けるので、ＰＬＭＮの変更が生じたときに抑制を行わなくてもよい。それに加えて、ＷＴＲＵは、ＰＬＭＮの変更が生じたときに抑制が適用可能である場合に、通知を受けてもよい。ＰＬＭＮの変更は、ＶＰＬＭＮなどのローミングの場合、または同等のＰＬＭＮに対するものであってよいことに留意されたい。それに加えて、この例示的な方法は、ＲＡＴのリスト毎に、またはＰＬＭＮの組み合わせとともにＲＡＴ毎に適用されてもよい。
【００５７】
例示的な一実施形態では、抑制の範囲は、トラッキングエリア（ＴＡ）、ルーティングエリア（ＲＡ）、およびロケーションエリア（ＬＡ）のリストによるものか、またはサービングノードなどによるものとしてもよい。抑制は、地理的エリア、地域、または国などに関連付けられてもよい。抑制の範囲は、抑制が終了するまで適用可能であるか、またはタイマーによって管理されてもよく、それが失効するとＡＣＬの抑制が終了しうる。例えば、ＡＣＬ抑制は、タイマーがまだ動作している間に、強制的に打ち切られてもよい。タイマーの長さは、事前に構成されうるか、または専用メッセージング、ブロードキャストシステムメッセージ、またはブロードキャスト情報メッセージなどを介してＷＴＲＵにシグナリングされてもよいことに留意されたい。例えば、ブロードキャストメッセージは、抑制が開始する時点とその持続時間の両方に関して、ＷＴＲＵに通知することができる。さらに、ＷＴＲＵは、抑制が適用されえない場所、時間、および／またはネットワークに関しても通知を受けることができる。したがって、ＷＴＲＵは、その場所と抑制に関して提供される情報とに基づき抑制を開始するか、または終了することができる。ＷＴＲＵは、同じ範囲がそのＨＰＬＭＮおよび同等のＰＬＭＮにおいて適用することができると想定することもできるか、またはＷＴＲＵは、同等のＰＬＭＮにおける同じ抑制もしくは抑制の終了を適用する必要がある場合に、通知を受けることができる。
【００５８】
図３を参照すると、参照符号３０５において、ＡＣＬを抑制するためのトリガーが構成され、参照符号３１０において、ＡＣＬを抑制するためのトリガーが検出される。トリガーは、ＡＣＬが抑制されうることをシグナリングするイベントであってもよい。例えば、ＡＣＬは、ネットワーク上の現在のシグナリングもしくはトラフィックの負荷が特定の閾値を超えた後に抑制されてもよい。
【００５９】
ＣＳＧのアクセスが連続して何回も失敗することが、連続する失敗が特定の閾値を超えたときにＡＣＬを抑制することが必要であるということのトリガーとなってもよい。ＷＴＲＵはその閾値で事前設定されてもよく、またはその閾値がＷＴＲＵにシグナリングされてもよい。ＷＴＲＵが、閾値を超えうることを検出したときに、ＷＴＲＵは、ＡＣＬを抑制するアクションを、ネットワークからのシグナリングせずに実行することができる。抑制の範囲に応じて、ＷＴＲＵは、抑制を後に終了してもよい。例えば、この範囲がタイマーに準じて設定される場合、ＷＴＲＵは、抑制を自律的に終了してもよい。ＷＴＲＵは、さらに説明するように、ＡＣＬの抑制もしくは抑制終了をネットワークにシグナリングしてもよい。
【００６０】
ＰＬＭＮ、ＴＡ、ＲＡ、ＬＡ、ＭＭＥ、ＳＧＳＮ、またはＭＳＣなどへのエントリーによっても、明確なインジケーションがネットワークから受信されるまで、ＷＴＲＵによって自律的にＡＣＬの抑制を行うことになってもよい。ＷＴＲＵは、ＰＬＭＮ、ＴＡ、ＲＡ、ＬＡ、ＭＭＥ、ＳＧＳＮ、またはＭＳＣなどに関して通知を受けてもよく、これらに対してＡＣＬを抑制してもよい。このＷＴＲＵは、ネットワークとのシグナリングなしで通知を受けてもよい。それに加えて、特定のＣＳＧ−ＩＤは、そのような情報に関連付けられてよく、これにより、ＷＴＲＵは、ＰＬＭＮ、ＴＡ、ＲＡ、ＬＡ、ＭＭＥ、ＳＧＳＮ、またはＭＳＣなどの中のＣＳＧセルにアクセスすることができる。
【００６１】
ＣＳＧメンバーシップの失効、またはＵＥがメンバーであった最後のＣＳＧの失効が、ＡＣＬを抑制するトリガーとなってもよい。それに加えて、メンバーシップの失効は、ＡＣＬの抑制で実現されてもよい。それに加えて、メンバーシップの失効は、ＡＣＬの抑制で実現されてもよい。
【００６２】
ＡＣＬにあるＣＳＧ−ＩＤの数が、ＡＣＬを抑制するトリガーとなってもよい。例えば、ＡＣＬにあるＣＳＧ−ＩＤの数が閾値を超えた後、ＡＣＬの抑制がトリガーされてもよい。この閾値は、事前設定されるか、またはＷＴＲＵにシグナリングされてもよい。このシナリオでは、ＷＴＲＵは、ＡＣＬのＣＳＧのエントリーの個数を削除するか、または少なくすることによって、ＡＣＬを修正することを許可されてもよい。ネットワークからの明確なインジケーションなしで修正が実行されてもよい。
【００６３】
ＡＣＬの抑制はまた、ＯＣＬにあるＣＳＧのエントリーの個数によってトリガーされてもよい。例えば、ＯＣＬが空であった場合、ＷＴＲＵにおいてＣＳＧ−ＩＤをＯＣＬに追加することは、ＡＣＬを抑制するトリガーとして振舞ってもよい。
【００６４】
上記説明されるトリガーはすべて、個別に、または組み合わせて発生してもよい。それに加えて、上記説明されるトリガーはすべて、ＷＴＲＵに基づく抑制および／またはユーザープロファイルに基づく抑制に適用してもよい。
【００６５】
図３の参照符号３２０では、ＡＣＬの抑制のシグナリング、または抑制の終了が発生してもよい。１の例では、ＷＴＲＵは、ＡＣＬの抑制または抑制の終了を示す信号を受信してもよい。ＷＴＲＵへのシグナリングは、ＯＭＡ−ＤＭ、ＯＴＡ、システム情報のブロードキャスト、システムメッセージのブロードキャスト、専用ＲＲＣ、または専用ＮＡＳメッセージなどを介して発生してもよい。例えば、ＷＴＲＵは、ＡＣＬの抑制が必要となりうることを示すことができるアタッチ、ＴＡＵ、ＲＡＵ、またはＬＡＵアクセプト応答を受信してもよい。ＷＴＲＵへのシグナリングは、ＲＲＣ／ＮＡＳメッセージに含めることができる新しい情報要素（ＩＥ）またはビットマップを使用することによって達成されてもよい。抑制はまた、ＮＡＳメッセージの新しい原因コードを使用することによって、シグナリングされてもよい。例えば、ＮＡＳサービス要求メッセージは、ＡＣＬが抑制されることを示す新しい原因コードとともにＣＳＧセルから送信される場合に拒否されてもよい。
【００６６】
それに加えて、ＷＴＲＵは、ＡＣＬの抑制をシグナリングするＮＡＳ／ＲＲＣメッセージについてセキュリティーチェックを実行してもよい。メッセージがセキュリティーチェックを通らない（例えば、メッセージにセキュリティー保護がない）、または認証に失敗するとＷＴＲＵが判定する場合、ＷＴＲＵは、メッセージ内のＡＣＬ抑制信号、および／またはメッセージ自体を無視してもよい。
【００６７】
ＷＴＲＵは、ＰＬＭＮ毎に抑制ステータスを保存してもよい。例えば、ＷＴＲＵは、ＶＰＬＭＮに入るときに抑制を終了してもよく、次いで、ＷＴＲＵがそのＨＰＬＭＮに戻るときに、これがＰＬＭＮの変更前のＨＰＬＭＮのＷＴＲＵのステータスである場合、ＡＣＬを抑制してもよい。それに加えて、ＷＴＲＵは、同等のＰＬＭＮに対して類似の挙動を適用することができる。ＷＴＲＵは、同等のＰＬＭＮのモビリティーのイン／アウトの最中に、抑制または終了に対するアクションに関してシグナリングされてもよく、または事前設定されてもよい。
【００６８】
別の例示的な実施形態では、ＷＴＲＵは、ＡＣＬが抑制されるか否かをシグナリングしてもよい。例えば、ＷＴＲＵは、ＴＡ、ＲＡ、またはＬＡなどのサービスエリアの変更、ＭＭＥ／ＳＧＳＮ／ＭＳＣの変更、ＰＬＭＮの変更、および／または本明細書で説明される抑制の範囲の変更の後に、ＡＣＬの抑制ステータスをシグナリングしてもよい。
【００６９】
別の実施態様では、ネットワークは、ＷＴＲＵに抑制の範囲をシグナリングしてもよい。例えば、上記説明されるように、ネットワークは、タイマーに基づく範囲を使用して、その抑制が特定の持続時間に対するものであることを示してもよく、その時間経過後、ＷＴＲＵはＡＣＬの抑制を終了したものとみなしてもよい。それに加えて、ネットワークは、ＡＣＬの抑制をシグナリングするＮＡＳ／ＲＲＣメッセージについてセキュリティーチェックを実行してもよい。メッセージがセキュリティーチェックを通らない（例えば、メッセージにセキュリティー保護がない）、または認証に失敗するとネットワークが判定する場合、ネットワークは、メッセージ内のＡＣＬ抑制信号、および／またはメッセージ自体を無視してもよい。
【００７０】
加入ＣＳＧにおけるＯＣＬまたはＡＣＬのインジケーションは、ＡＣＬの抑制をシグナリングしてもよい。１の例では、ＡＣＬ抑制フラグを使用して、ＡＣＬリストの抑制をシグナリングしてもよい。ＡＣＬ抑制フラグは、加入ＣＳＧリストのＯＣＬまたはＡＣＬが、ＡＣＬリストの抑制を許可することを示してもよい。例示的な１の実施形態では、ＣＳＧ加入データＩＥは、追加フラグを含んでもよい。例えば、以下に、ＭＭＥ／ＳＧＳＮがＯＣＬ−ＣＳＧ−ＩＤとＡＣＬ−ＣＳＧ−ＩＤとを区別することを許可するＣＧ加入データＩＥに対して導入できる追加Ｉビットフラグを以下に実証する。
【００７１】
ＣＳＧ加入データ：：＝＜ＡＶＰヘッダ：１４３６  １０４１５＞
｛ＣＳＧ−ＩＤ｝
［失効日］
［ＯＣＬ／ＡＣＬビット］
【００７２】
アクセス制限データまたはオペレーター決定禁止要素はまた、ＡＣＬを抑制すべきであることをシグナリングするために使用されうる新しい要素「ＡＣＬ抑制」により、一方または両方の要素を拡張することによって抑制フラグとして使用してもよい。それに加えて、新しいＩＥをＡＣＬ抑制コマンド用に作成してもよい。
【００７３】
ホーム加入者サーバー（ＨＳＳ）またはホームロケーションレジスタ（ＨＬＲ）は、特定のＷＴＲＵに対するＡＣＬ抑制の更新を受信するときに、ＡＣＬ抑制要素を「ＡＣＨ抑制」ビットをセットして単に送信することにより、ＭＭＥ／ＳＧＳＮのそのプロファイルの更新をすることができる。更新を受信した後、ＭＭＥは、ＡＣＬ関連のオペレーション（例えば、ＡＣＬへのアクセス、ＡＣＬへのＣＳＧ追加、またはＡＣＬのＣＳＧ削除など）にどのような違いが生じるのかを知ることができる。ＡＣＬ抑制フラグは、ＡＣＬ関連の記録を削除するコマンドとして解釈されてもよい。例えば、そのようなコマンドを受信すると、ＭＭＥは、ＡＣＬタグ付けＣＳＧ−ＩＤを削除してもよい。
【００７４】
別の例示的な実施形態では、分割ＣＳＧリストは、ＡＣＬリストの抑制をシグナリングしてもよい。ＣＳＧ加入データは、以下に示すように２つの個別のリストに分割されてもよい。
ＯＣＬ
｛ＣＳＧ−ＩＤ｝
［失効日］
ＡＣＬ
｛ＣＳＧ−ＩＤ｝
［失効日］
【００７５】
これにより、ＣＳＧに対する加入データを分割することが許可される。それに加えて、ＯＣＬリストおよびＡＣＬリストは、要素の最大数を定義しておいてもよい。次いで、すでに説明されているアクセス抑制フラグを使用して、分割リストを適用してもよい。ＡＣＬ抑制フラグは、ＡＣＬ関連の記録を削除するコマンドとして解釈されてもよい。例えば、そのようなコマンドを受信すると、ＭＭＥは、ＡＣＬタグ付けＣＳＧ−ＩＤを削除して、アクセス権のあるＯＣＬのみを保持してもよい。
【００７６】
ＡＣＬ抑制のシグナリングおよび範囲を、本明細書で説明される抑制の実行と組み合わせと併せて使用してもよい。例えば、ネットワークは、ＡＣＬがすべてのＲＡＴについて、または特定のＲＡＴについて抑制されるかを示すことができる。共通の加入プロファイルを持つユーザーなどのユーザーのグループに、ＡＣＬ抑制（またはその終了）についてのシグナリングを提供するべきである状況では、そのような情報／シグナリングが、選択されたグループに送信されてもよい。
【００７７】
図３の参照符号３３０では、ＡＣＬの抑制を実行することができる。例示的な１の実施形態では、ＵＥはＡＣＬを、存在していない、および／または無効とみなしてもよい。ＷＴＲＵは、ＯＣＬが存在するかを判定してもよい。ＯＣＬが存在しているときに、ＷＴＲＵはそのＯＣＬを、唯一の利用可能なリストとしてみなしてもよく、ＡＣＬの抑制が終了したことを通知されるまで、ＡＣＬ内のどのエントリーも有効なエントリーでないとみなしてもよい。ＡＣＬの抑制が終了するときに、ＷＴＲＵはＡＣＬにあるエントリーを、有効なエントリーとしてみなしてもよく、抑制が終了した後に、ＡＣＬにあるすべてのＣＳＧ−ＩＤを削除し、および／または新しいＡＣＬを構成してもよい。それに加えて、ＷＴＲＵは、ＡＣＬの抑制が終了した後に、ＡＣＬにあるエントリーが有効なエントリーとして処理されるかの通知を受けてもよい。
【００７８】
別の実施形態では、ＷＴＲＵは、ＡＣＬを読み取り専用リストであるとみなしてもよい。ＷＴＲＵは、ＡＣＬにあるＣＳＧ−ＩＤを使用してもよいが、ＡＣＬを修正することはできない。抑制されたＡＣＬにあるＩＤを有するＣＳＧセルへのアクセスが拒否されるときに、ＷＴＲＵは、アクセスがすでに拒否されているので自動セル再選択でそのＣＳＧ−ＩＤを再び考慮しないように、このセルのＣＳＧ−ＩＤを保存してもよい。
【００７９】
別の例示的な実施形態では、ＷＴＲＵは、ＡＣＬにあるすべてのＣＳＧ−ＩＤを削除し、そのＡＣＬを存在していないとみなしてもよい。それに加えて、ＷＴＲＵは、抑制が終了するまでＡＣＬを修正することができない。
【００８０】
別の例示的な実施形態では、本明細書で説明されるように、ＷＴＲＵは、ＡＣＬを修正することができず、ＡＣＬにある選択された／シグナリングされたＣＳＧ−ＩＤを、アクセスするのに無効であるとみなしてもよい。ＷＴＲＵは、ユーザーに対して表示されるリストから、それらのＣＳＧ−ＩＤを削除して、そのようなＣＳＧセル上でのＴＡＤ／ＲＡＤ／ＬＡＤ要求などのアクセス試行／ＮＡＳシグナリングを回避してもよい。また、ＷＴＲＵは、選択された／シグナリングされたＣＳＧ−ＩＤを読み取り専用として使用し、ＣＳＧ−ＩＤに関連付けられるＣＳＧセルにアクセスしてもよい。
【００８１】
別の例示的な実施形態では、ＷＴＲＵは、ＡＣＬの抑制をＡＣＬにある個別のＣＳＧ−ＩＤ、および／または当該ＩＤのグループに適用可能であると解釈してもよい。ＷＴＲＵは、ＡＣＬを読み取り専用リストとして取り扱ってもよく、そのリストを修正することはできない。例えば、これは、ＣＳＧ−ＩＤのグループが、予約ＩＤの一部としてＣＳＧ−ＩＤに分類されている場合、または同一のＨ（ｅ）ＮＢ名がこれらすべてのＣＳＧによってブロードキャストされるときに、行われてもよい。
【００８２】
図３の参照符号３４０では、ＡＣＬの抑制が解釈されてもよい。ＡＣＬの抑制は、ＣＳＧの表示に対し影響を及ぼすものと解釈してもよい。例えば、ＣＳＧ−ＩＤは、ＣＳＧ表示にあり、抑制されたＡＣＬにあってもよい。例示的な１の実施形態では、ＷＴＲＵは、抑制されたＡＣＬを無視し、ＣＳＧ−ＩＤが抑制されたＡＣＬにあっても、当該ＣＳＧ−ＩＤを表示してもよい。別の例示的な実施形態では、ＤＥは、抑制されるＣＳＧ−ＩＤを表示しないように選択してもよく、またはＷＴＲＵが、ＣＳＧ−ＩＤが抑制されることのインジケーションとともに、ＣＳＧ−ＩＤを表示してもよい。別の例示的な実施形態では、ＷＴＲＵは、抑制されたＡＣＬ内に含まれるＣＳＧ−ＩＤを表示することを選択してもよい。
【００８３】
ＷＴＲＵは、ＮＡＳメッセージの登録または送信の結果に応じて、ユーザーに対して表示される内容を更新してもよい。例えば、ＷＴＲＵは、表示される特定のＣＳＧ−ＩＤに対する登録の成功もしくは失敗を示してもよい。ＷＴＲＵは、登録が成功しなかったＣＳＧ−ＩＤを表示することを停止してもよい。それに加えて、ＷＴＲＵは、ユーザーがＩＤを見ることはできるが、そのＩＤを選択することはできないように、ＩＤをそのまま表示してもよい。
【００８４】
ＡＣＬの抑制は、アイドルモードモビリティーに対し影響を及ぼすとして解釈してもよい。例えば、自動ＣＳＧセル選択、マニュアルＣＳＧセル選択、またはマニュアルＣＳＧセル再選択などは、ＡＣＬが抑制されるときに影響を受けることがある。例示的な一実施形態では、ＣＳＧ−ＩＤが手動で選択されるときに、ＷＴＲＵは、ＴＡＤ／ＲＡＤ／ＬＡＤ要求などのＮＡＳメッセージをネットワークへ登録または送信することができない。別の例示的な実施形態では、ＩＤが手動で選択されるときに、ＷＴＲＵは、登録がすでに行われていなければネットワークに登録してもよい。登録が成功するときに、ＷＴＲＵは、そのＡＣＬを修正できず、またはそのＡＣＬの抑制を、ＷＴＲＵが登録応答メッセージによりＩＥを介して明確に通知を受けない限り、終了してしまったとみなすことはできない。別の例示的な実施形態では、ＷＴＲＵは、ＡＣＬの抑制を、抑制されたＡＣＬにあるＩＤを有するＣＳＧセルからの登録である場合に、終了したとみなしてもよい。
【００８５】
別の実施形態では、ユーザーが抑制されたＡＣＬに属するＣＳＧ−ＩＤを選択するときに、ＷＴＲＵは、そのＡＣＬが読み取り専用となるように登録してもよい。例えば、ＡＣＬの抑制された部分は、有効であるとみなされるが、ユーザーによる修正はできない。それに加えて、ＤＥは、選択されたＣＳＧ−ＩＤがＡＣＬにないか、または抑制／無効化に対して選択されたＣＳＧ−ＩＤの一部でないときに、登録してもよい。ＷＴＲＵは、抑制されたＡＣＬにあるＣＳＧ−ＩＤを、自動的なセル選択または再選択に関して考慮してもよい。
【００８６】
別の例示的な実施形態では、ＷＴＲＵは、抑制されたＡＣＬにあるＣＳＧ−ＩＤに関連する情報を無視するか、または削除するために、フィンガープリントを修正してもよい。ＷＴＲＵは、ＡＣＬ抑制が終了するときに、再びこの情報を見直してもよい。
【００８７】
アイドルモードで抑制が行われるか、またはシグナリングされるときに、ＷＴＲＵは、別のＣＳＧセルとなりうる（例えば、ＯＣＬにあるＩＤを有する）許可されたセル、またはマクロもしくはハイブリッドセルを再選択してもよい。ＷＴＲＵはまた、抑制のシグナリングを受信するときの接続モードから離れる場合に、再選択してもよい。
【００８８】
ＡＣＬの抑制は、接続モードモビリティーに対し影響を及ぼすとして解釈される場合がある。例えば、抑制されたＡＣＬは、自動的なＣＳＧ選択、または抑制されたＡＣＬにあるＩＤを有するＣＳＧのモビリティーのイン／アウトに影響を及ぼす場合がある。１の例では、ＷＴＲＵは、接続モードモビリティーに対するＣＳＧ−ＩＤを検討して、ＷＴＲＵにあるフィンガープリントが、抑制されたＡＣＬにあるＣＳＧ−ＩＤを考慮することができるようにしてもよい。ＷＴＲＵは、近接インジケーションが、抑制されたＡＣＬにあるＣＳＧ−ＩＤに関係しうるか否かをネットワークに通知することができる。ネットワークは、メンバーシップのチェックおよびその結果となる拒否によると考えられる遅延を回避するために、そのようなＣＳＧ−ＩＤの優先度設定を解除してもよい。
【００８９】
別の実施形態では、ＷＴＲＵは、ＷＴＲＵが接続モードにある間に抑制が生じるか、またはシグナリングされるときに、無線リソース制御（ＲＲＣ）メッセージ（例えば、近接インジケーションなど）を送信してもよい。これは、ＡＣＬの抑制に関してハンドオーバーをトリガーするか、またはＲＡＮに通知するために行われてもよい。ＲＡＮ／ｅＮＢ／ネットワークは、別のセルへのハンドオーバーを実行することを決定してもよい。例えば、ｅＮＢは、マクロセル、許可されたＣＳＧ、またはハイブリッドセルなどへのハンドオーバーを実行する。
【００９０】
ＮＡＳは、上記説明されるようないくつかのアクションが、フィンガープリント情報に関して起動されるように、ＡＣＬの抑制に関してアクセスストレイタム（access stratum）／ＲＲＣに通知してもよい。同様に、ＮＡＳは、抑制の終了に関してこのストレイタム／ＲＲＣに通知してもよい。そのようなインジケーションがブロードキャストされる場合、ＲＲＣは、抑制および／またはその終了に関してＮＡＳに通知してもよい。次いで、ＮＡＳは、特定のアクション（例えば、表示オプションを変更する、抑制の終了に関してユーザーに通知する）を実行してもよい。
【００９１】
図４は、本開示の実施形態による連続的なマニュアルＣＳＧ選択によるシグナリングを制限するための例示的な方法のフローチャートを表す。これは、例えば、悪意のあるユーザーまたはユーザーのグループが、不要なシグナリングでネットワークに過剰な負荷をかけることによってネットワークを攻撃することを防ぐために行われてもよい。
【００９２】
図４の参照符号４１０では、アクセス拒否が検出されてもよい。１の実施形態では、ＷＴＲＵによって送信される登録（ＴＡＵ／ＲＡＵ／ＬＡＵ）数は、ネットワークによるアクセス拒否が多数あることにより制限される場合がある。アクセス拒否は、個々のＣＳＧ−ＩＤ毎に、または異なるＣＳＧセル上の異なる試行毎などに、検出されてもよい。
【００９３】
図４の参照符号４２０では、拒否のリミットに達したかどうかを判定してもよい。拒否の最大回数は、ＷＴＲＵにシグナリングされるか、または事前設定されてもよい。アクセス拒否が検出されると、それらの拒否の回数の総和を、拒否の最大回数と比較してもよい。この数に達したときに、ＷＴＲＵは、ユーザーがＣＳＧ−ＩＤを選択するときであっても、もはやシグナリングメッセージを送信することはできない。それに加えて、ＷＴＲＵは、ＷＴＲＵからの登録の試みをトリガーしたＣＳＧ−ＩＤまたはＩＤのセットを表示することを停止してもよい。さらに、試みの最大回数を、特定の時間範囲内に試みの最大回数Ｎを超えないようにタイマーに関連付けてもよい。
【００９４】
図４の参照符号４３０では、シグナリングを制限するアクションを起動してもよい。例えば、ネットワークは、ＣＳＧセルが選択されるときに、特定のアクション（例えば、登録を表示しない、または登録を回避する）を実行することをＷＴＲＵに通知してもよい。ＷＴＲＵは、ＷＴＲＵに送信されるリジェクトメッセージ（例えば、ＴＡＵリジェクト、ＲＡＵリジェクト、ＬＡＵリジェクト、またはアタッチリジェクトなど）で通知を受けてもよい。それに加えて、ＷＴＲＵは、ＵＥ、ＯＭＡ−ＤＭ、またはＯＴＡなどよってとられるアクションを特定するＩＥを介して、通知を受けてもよい。ＵＥは、ＣＳＧ−ＩＤに対して、その表示を再開してもよく、または、その他のトリガーが発生するときに（例えば、タイマーがタイムアウトするとき、ＷＴＲＵがマクロセルまたは別の許可されたＣＳＧに移動するとき、ＣＳＧ−ＩＤがＷＴＲＵ内のリストにすでにあるとき）、登録メッセージを送信するために、その表示を再開してもよい。それに加えて、ＷＴＲＵは、ＷＴＲＵが異なるＲＡＴまたはＰＬＭＮに移動するとき、または制限を取り除く明確なシグナリングをＵＥが受信するときに、ＣＳＧ−ＩＤに対してその表示を再開してもよい。
【００９５】
動作環境およびデバイスの例
図５は、１または複数の開示される実施形態を実装することができる例示的な通信システム５００の図である。通信システム５００は、音声、データ、動画像、メッセージング、放送などのコンテンツを、複数の無線ユーザーに提供する多元接続システムであってもよい。通信システム５００は、無線帯域を含む、システムリソースの共有を通じて、複数の無線ユーザーがそのようなコンテンツにアクセスすることを可能にする。例えば、通信システム５００は、符号分割多元接続（ＣＤＭＡ）、時分割多元接続（ＴＤＭＡ）、周波数分割多元接続（ＦＤＭＡ）、直交周波数多元接続（ＯＦＤＭＡ）、およびシングルキャリア周波数多元接続（ＳＣ−ＦＤＭＡ）などの１または複数のチャネルアクセス方法を使用してもよい。
【００９６】
図５で示すように、通信システム５００は、ＷＴＲＵ５０２ａ、５０２ｂ、５０２ｃ、および５０２ｄ、無線アクセスネットワーク（ＲＡＮ）５０４、コアネットワーク５０６、公衆交換電話網（ＰＳＴＮ）５０８、インターネット５１０、および他のネットワーク５１２を含んでもよいが、開示されている実施形態では、任意の数のＷＴＲＵ、基地局、ネットワーク、および／またはネットワーク要素を企図していると理解される。ＷＴＲＵ５０２ａ、５０２ｂ、５０２ｃ、および５０２ｄの各々は、無線環境において動作し、および／または通信するように構成された任意のタイプのデバイスであってもよい。例えば、ＷＴＲＵ５０２ａ、５０２ｂ、５０２ｃ、および５０２ｄは無線信号を送信し、および／または受信するように構成されてもよく、ユーザー機器（ＵＥ）、移動局、固定または移動加入者ユニット、ポケベル、携帯電話、携帯情報端末（ＰＤＡ）、スマートフォン、ラップトップ、ノートブック、パーソナルコンピューター、無線センサー、および家庭用電化製品などを含んでもよい。
【００９７】
通信システム５００は、基地局５１４ａおよび基地局５１４ｂを含んでもよい。基地局５１４ａおよび５１４ｂの各々は、コアネットワーク５０６、インターネット５１０、および／またはネットワーク５１２などの、１または複数の通信ネットワークへのアクセスが円滑に行われるようにＷＴＲＵ５０２ａ、５０２ｂ、５０２ｃ、および５０２ｄのうちの少なくとも１つのＷＴＲＵと無線方式でインターフェースする構成をとる任意のタイプのデバイスとしてもよい。例えば、基地局５１４ａおよび５１４ｂは、トランシーバー基地局（ＢＴＳ）、ＮｏｄｅＢ、ｅＮｏｄｅＢ、ホームＮｏｄｅＢ、ホームｅＮｏｄｅＢ、サイトコントローラー、ＡＰ、および無線ルーターなどであってもよい。基地局５１４ａおよび５１４ｂは、それぞれ、単一要素として示されているが、基地局５１４ａおよび５１４ｂは任意の数の相互接続された基地局および／またはネットワーク要素を含んでもよいことが理解されるであろう。
【００９８】
基地局５１４ａは、基地局制御装置（ＢＳＣ）、無線ネットワークコントローラ（ＲＮＣ）、中継ノードなどの、その他の基地局および／またはネットワーク要素（図示せず）も含むことができる、ＲＡＮ５０４の一部であってもよい。基地局５１４ａおよび／または基地局５１４ｂは、セル（図示せず）と称される場合がある、特定の地理的領域内で無線信号を送信し、および／または受信するように構成されてもよい。セルは、いくつかのセルセクタにさらに分割されてもよい。例えば、基地局５１４ａに関連付けられるセルは、３つのセクタに分割されてもよい。そこで、１の実施形態において、基地局５１４ａは、３つのトランシーバー、つまり、セルのセクタ毎にトランシーバーを１つずつ含んでもよい。別の実施形態において、基地局５１４ａは、ＭＩＭＯ（multiple input multiple output）技術を使用してもよく、したがって、セルの各々のセクタに対して複数のトランシーバーを使用してもよい。
【００９９】
基地局５１４ａおよび５１４ｂは、ＷＴＲＵ５０２ａ、５０２ｂ、５０２ｃ、および５０２ｄのうちの１または複数と、任意の適切な無線通信リンク（例えば、無線周波数（ＲＦ）、マイクロ波、赤外線（ＩＲ）、紫外線（ＵＶ）、可視光線など）とすることができる、エアーインターフェース５１６を介して通信してもよい。エアーインターフェース５１６は、任意の適切な無線アクセス技術（ＲＡＴ）を使用して確立されてもよい。
【０１００】
より具体的には、上記のように、通信システム５００は多元接続システムとしてもよく、ＣＤＭＡ、ＴＤＭＡ、ＦＤＭＡ、ＯＦＤＭＡ、およびＳＣ−ＦＤＭＡなどの、１または複数のチャネルアクセス方式を使用してもよい。例えば、ＲＡＮ５０４内の基地局５１４ａ、ならびにＷＴＲＵ５０２ａ、５０２ｂ、および５０２ｃでは、広帯域ＣＤＭＡ（ＷＣＤＭＡ）を使用してエアーインターフェース５１６を確立することができる、ＵＴＲＡ（Universal Mobile Telecommunications System (UMTS) Terrestrial Radio Access）などの無線技術を実装してもよい。ＷＣＤＭＡは、高速パケットアクセス（ＨＳＰＡ）および／または発展型ＨＳＰＡ（ＨＳＰＡ＋）などの通信プロトコルを含んでもよい。ＨＳＰＡは、高速ダウンリンクパケットアクセス（ＨＳＤＰＡ）および／または高速アップリンクパケットアクセス（ＨＳＵＰＡ）を含んでもよい。
【０１０１】
別の実施形態において、基地局５１４ａ、ならびにＷＴＲＵ５０２ａ、５０２ｂ、および５０２ｃは、ＬＴＥ（ロングタームエボリューション）および／またはＬＴＥ−Ａ（LTE-Advanced）を使用して、エアーインターフェース５１６を確立することができる、Ｅ−ＵＴＲＡ（Evolved UMTS Terrestrial Radio Access）などの無線技術を実装してもよい。
【０１０２】
その他の実施形態において、基地局５１４ａ、ならびにＷＴＲＵ５０２ａ、５０２ｂ、および５０２ｃは、ＩＥＥＥ８０２．１６（つまり、ＷｉＭＡＸ（Worldwide Interoperability for Microwave Access））、ＣＤＭＡ２０００、ＣＤＭＡ２０００−ＩＸ、ＣＤＭＡ２０００ＥＶ−ＤＯ、ＩＳ−２０００（Interim Standard 2000）、ＩＳ−９５（Interim Standard 95）、ＩＳ−８５６（Interim Standard 856）、ＧＳＭ（Global System for Mobile communications：登録商標）、およびＥＤＧＥ（Enhanced Data rates for GSM Evolution）、ＧＥＲＡＮ（GSM-EDGE）などの無線技術を実装してもよい。
【０１０３】
図５の基地局５１４ｂは、例えば、無線ルーター、ホームＮｏｄｅＢ、ホームｅＮｏｄｅＢ、またはアクセスポイントとしてもよく、事業所、家庭、自動車、およびキャンパスなどの、局在化されたエリア内で無線接続を円滑にするための適切なＲＡＴを利用してもよい。１の実施形態において、基地局５１４ｂ、ならびにＷＴＲＵ５０２ｃおよび５０２ｄは、ＷＬＡＮ（無線ＬＡＮ）を確立するために、ＩＥＥＥ８０２．１１などの無線技術を実装してもよい。別の実施形態では、基地局５１４ｂ、ならびにＷＴＲＵ５０２ｃおよび５０２ｄは、ＷＰＡＮ（無線ＰＡＮ）を確立するために、ＩＥＥＥ８０２．１５などの無線技術を実装してもよい。さらに別の実施形態において、基地局５１４ｂ、ならびにＷＴＲＵ５０２ｃおよび５０２ｄは、ピコセルまたはフェムトセルを確立するためにセルラベースのＲＡＴ（例えば、ＷＣＤＭＡ、ＣＤＭＡ２０００、ＧＳＭ、ＬＴＥ、およびＬＴＥ−Ａなど）を利用してもよい。図５で示すように、基地局５１４ｂは、インターネット５１０との直接接続を有してもよい。そのため、基地局５１４ｂは、コアネットワーク１０６を介してインターネット５１０にアクセスする必要がなくなる。
【０１０４】
ＲＡＮ５０４は、コアネットワーク５０６と通信してもよく、このコアネットワーク５０６は、音声、データ、アプリケーション、および／またはＶｏＩＰ（ボイスオーバーインターネットプロトコル）サービスをＷＴＲＵ５０２ａ、５０２ｂ、５０２ｃ、および５０２ｄのうちの１または複数のＷＴＲＵに提供するように構成された任意のタイプのネットワークであってもよい。例えば、コアネットワーク５０６は、呼制御、課金サービス、モバイル位置情報サービス、プリペイド通話、インターネット接続性、および映像配信などを提供し、および／またはユーザー認証などの高水準のセキュリティー機能を実行してもよい。図５では示さないが、ＲＡＮ５０４および／またはコアネットワーク５０６は、ＲＡＮ５０４と同じＲＡＴ、または異なるＲＡＴを使用する他のＲＡＮと、直接的な、または間接的な通信を行ってもよい。例えば、Ｅ−ＵＴＲＡ無線技術を使用することができるＲＡＮ５０４に接続されることに加えて、コアネットワーク５０６は、ＧＳＭ無線技術を採用する別のＲＡＮ（図示せず）と通信してもよい。
【０１０５】
コアネットワーク５０６は、ＷＴＲＵ５０２ａ、５０２ｂ、５０２ｃ、および５０２ｄがＰＳＴＮ５０８、インターネット５１０、および／または他のネットワーク５１２にアクセスするためのゲートウェイとして機能してもよい。ＰＳＴＮ５０８は、アナログ音声通話のみ可能な旧来の電話サービス（ＰＯＴＳ）を提供する回線交換電話網を含んでもよい。インターネット５１０は、ＴＣＰ／ＩＰインターネットプロトコル群に含まれる伝送制御プロトコル（ＴＣＰ）、ユーザーデータグラムプロトコル（ＵＤＰ）、およびインターネットプロトコル（ＩＰ）などの、共通通信プロトコルを使用する相互接続されたコンピューターネットワークおよびデバイスのグローバルシステムを含んでもよい。ネットワーク５１２は、その他のサービスプロバイダによって所有され、および／または運営される有線もしくは無線通信ネットワークを含んでもよい。例えば、ネットワーク５１２は、ＲＡＮ５０４と同じＲＡＴ、または異なるＲＡＴを使用することができる、１または複数のＲＡＮに接続された別のコアネットワークを含んでもよい。
【０１０６】
通信システム５００のＷＴＲＵ５０２ａ、５０２ｂ、５０２ｃ、および５０２ｄのうちの一部、またはすべてがマルチモード機能を備える、つまり、ＷＴＲＵ５０２ａ、５０２ｂ、５０２ｃ、および５０２ｄは、異なる無線リンク上で異なる無線ネットワークと通信するための複数のトランシーバーを含んでもよい。例えば、図５に示されるＷＴＲＵ５０２ｃは、セルラベースの技術を使用することができる、基地局５１４ａと、またＩＥＥＥ８０２無線技術を使用することができる、基地局５１４ｂと通信するように構成されてもよい。
【０１０７】
図６は、例示的なＷＴＲＵ５０２のシステム図である。図６に示されるように、ＷＴＲＵ５０２は、プロセッサ５１８、トランシーバー５２０、送信／受信要素５２２、スピーカー／マイクロホン５２４、キーパッド５２６、ディスプレイ／タッチパッド５２８、着脱可能メモリー５３０、着脱不能メモリー５３２、電源５３４、全世界測位システム（ＧＰＳ）チップセット５３６、およびその他の周辺機器５３８を含んでもよい。ＷＴＲＵ５０２は、１の実施形態との整合性を維持しながら前記の要素の部分的組み合わせを含んでもよいことが理解されるであろう。
【０１０８】
プロセッサ５１８は、汎用プロセッサ、専用プロセッサ、従来型のプロセッサ、デジタルシグナルプロセッサ（ＤＳＰ）、複数のマイクロプロセッサ、ＤＳＰコアとの関連性を持つ１または複数のマイクロプロセッサ、コントローラー、マイクロコントローラー、特定用途向け集積回路（ＡＳＩＣ）、フィールドプログラマブルゲートアレイ（ＦＰＧＡ）回路、その他のタイプの集積回路（ＩＣ）、および状態機械などであってもよい。プロセッサ５１８は、信号符号化、データ処理、電力制御、入出力処理、および／またはＷＴＲＵ５０２が無線環境で動作することを可能にするその他の機能性を実行することができる。プロセッサ５１８は、送信／受信要素５２２に結合されうる、トランシーバー５２０に結合してもよい。図６は、プロセッサ５１８およびトランシーバー５２０を別々のコンポーネントとして表しているが、プロセッサ５１８およびトランシーバー５２０は、電子パッケージまたはチップ内にまとめて集積化されてもよいことが理解されるであろう。
【０１０９】
送信／受信要素５２２は、エアーインターフェース５１６上で基地局（例えば、基地局５１４ａ）に信号を送信するか、または基地局（例えば、基地局５１４ａ）から信号を受信するように構成されてもよい。例えば、１の実施形態において、送信／受信要素５２２は、ＲＦ信号を送信し、および／または受信するように構成されたアンテナとしてもよい。別の実施形態において、送信／受信要素５２２は、例えば、ＩＲ、ＵＶ、または可視光信号を送信し、および／または受信するように構成されたエミッター／ディテクターとしてもよい。さらに別の実施形態において、送信／受信要素５２２は、ＲＦ信号と光信号の両方を送信し、受信するように構成されてもよい。送信／受信要素５２２は、無線信号の組み合わせを送信し、および／または受信するように構成されてもよい。
【０１１０】
それに加えて、図６には送信／受信要素５２２は単一の要素として示されているが、ＷＴＲＵ５０２は、任意の数の送信／受信要素５２２を備えてもよい。より具体的には、ＷＴＲＵ５０２は、ＭＩＭＯ技術を採用してもよい。そのため、１の実施形態において、ＷＴＲＵ５０２は、エアーインターフェース５１６上で無線信号を送信し、受信するための２またはそれ以上の送信／受信要素５２２（例えば、複数のアンテナ）を備えてもよい。
【０１１１】
トランシーバー５２０は、送信器／受信要素５２２によって送信されるべき信号を変調し、送信／受信要素５２２によって受信された信号を復調するように構成されてもよい。上記のように、ＷＴＲＵ５０２は、マルチモード機能を有してもよい。そのため、トランシーバー５２０は、例えば、ＵＴＲＡおよびＩＥＥＥ８０２．１１などの複数のＲＡＴを介してＷＴＲＵ５０２が通信することを可能にするための複数トランシーバーを含んでもよい。
【０１１２】
ＷＴＲＵ５０２のプロセッサ５１８は、スピーカー／マイクロホン５２４、キーパッド５２６、および／またはディスプレイ／タッチパッド５２８（例えば、液晶ディスプレイ（ＬＣＤ）表示ユニットまたは有機発光ダイオード（ＯＬＥＤ）表示ユニット）に結合されてもよく、またそこからユーザー入力データを受け取ってもよい。プロセッサ５１８は、ユーザーデータをスピーカー／マイクロホン５２４、キーパッド５２６、および／またはディスプレイ／タッチパッド５２８に出力してもよい。それに加えて、プロセッサ５１８は、着脱可能メモリー５３０および／または着脱不能メモリー５３２などの、任意の種類の適切なメモリーにある情報にアクセスし、データをそのようなメモリーに格納してもよい。着脱不能メモリー５３０は、ランダムアクセスメモリー（ＲＡＭ）、リードオンリメモリー（ＲＯＭ）、ハードディスク、または他の種類のメモリーストレージデバイスを含んでもよい。着脱可能メモリー５３２は、加入者識別モジュール（ＳＩＭ）カード、メモリースティック、およびセキュアデジタル（ＳＤ）メモリーカードなどを含んでもよい。その他の実施形態において、プロセッサ５１８は、サーバーもしくはホームコンピューター（図示せず）上など、ＷＴＲＵ５０２上に物理的に配置されていないメモリーにある情報にアクセスし、データをそのようなメモリーに格納してもよい。
【０１１３】
プロセッサ５１８は、電源５３４から電力を受け取り、その電力をＷＴＲＵ５０２のその他のコンポーネントに分配し、および／または制御するように構成されてもよい。電源５３４は、ＷＴＲＵ５０２に給電するための任意の適切なデバイスとしてもよい。例えば、電源５３４は、１または複数の乾電池（例えば、ニッケルカドミウム（ＮｉＣｄ）電池、ニッケル亜鉛（ＮｉＺｎ）電池、ニッケル水素（ＮｉＭＨ）電池、およびリチウムイオン（Ｌｉ−ｉｏｎ）など）、太陽電池、および燃料電池などを含んでもよい。
【０１１４】
プロセッサ５１８は、ＷＴＲＵ５０２の現在位置に関する位置情報（例えば、経度と緯度）を提供するように構成されうる、ＧＰＳチップセット５３６に結合されてもよい。ＧＰＳチップセット５３６からの情報に加えて、またはその代わりに、ＷＴＲＵ５０２は、基地局（例えば、基地局５１４ａ、５１４ｂ）からエアーインターフェース５１６上で位置情報を受信し、および／または２つもしくはそれ以上の付近の基地局から信号を受信するタイミングに基づいて、その位置を判定してもよい。ＷＴＲＵ５０２は、１の実施形態との整合性を維持しながら任意の適切な位置判定方法を用いて位置情報を取得してもよい。
【０１１５】
プロセッサ５１８は、追加の特徴、機能性、および／または有線もしくは無線接続性を提供する１または複数のソフトウェアおよび／またはハードウェアモジュールを含むことができる、その他の周辺機器５３８にさらに結合されてもよい。例えば、周辺機器５３８は、加速度計、電子コンパス、衛星トランシーバー、デジタルカメラ（写真または動画用）、ユニバーサルシリアルバス（ＵＳＢ）ポート、バイブレーションデバイス、テレビジョントランシーバー、ハンズフリーヘッドセット、ブルートゥース（登録商標）モジュール、周波数変調（ＦＭ）ラジオユニット、デジタル音楽プレーヤー、メディアプレーヤー、ビデオゲームプレーヤーモジュール、およびインターネットブラウザなどを含んでもよい。
【０１１６】
図７は、一実施形態によるＲＡＮ５０４およびコアネットワーク５０６のシステム図である。上記のように、ＲＡＮ５０４は、エアーインターフェース５１６上でＷＴＲＵ５０２ａ、５０２ｂ、および５０２ｃと通信するためのＵＴＲＡ無線技術を使用してもよい。ＲＡＮ５０４は、コアネットワーク５０６と通信することもできる。図７に示されるように、ＲＡＮ５０４は、ＮｏｄｅＢ５４０ａ、５４０ｂ、および５４０ｃを含んでもよく、これらはそれぞれ、エアーインターフェース５１６上でＷＴＲＵ５０２ａ、５０２ｂ、おおび５０２ｃと通信するための１または複数のトランシーバーを含んでもよい。ＮｏｄｅＢ５４０ａ、５４０ｂ、および５４０ｃは、それぞれ、ＲＡＮ５０４の特定のセル（図示せず）に関連付けてもよい。ＲＡＮ５０４は、ＲＮＣ５４２ａおよび５４２ｂを含んでもよい。ＲＡＮ５０４は、１の実施形態との整合性を維持しながら任意の数のＮｏｄｅＢおよびＲＮＣを含んでもよいことが理解されるであろう。
【０１１７】
図７に示されるように、ＮｏｄｅＢ５４０ａおよび５４０ｂは、ＲＮＣ５４２ａと通信してもよい。それに加えて、ＮｏｄｅＢ５４０ｃは、ＲＮＣ５４２ｂと通信してもよい。ＮｏｄｅＢ５４０ａ、５４０ｂ、および５４０ｃは、Ｉｕｂインターフェースを介して各ＲＮＣ５４２ａ、５４２ｂと通信してもよい。ＲＮＣ５４２ａおよび５４２ｂは、Ｉｕｒインターフェースを介して互いに通信してもよい。ＲＮＣ５４２ａおよび５４２ｂのそれぞれは、接続先の各ＮｏｄｅＢ５４０ａ、５４０ｂ、および５４０ｃを制御するように構成されてもよい。それに加えて、ＲＮＣ５４２ａおよび５４２ｂのそれぞれは、アウターループ電力制御、負荷制御、アドミッション制御、パケットスケジューリング、ハンドオーバー制御、マクロダイバーシティ、セキュリティー機能、およびデータ暗号化などのその他の機能を実行もしくはサポートするように構成されてもよい。
【０１１８】
図１Ｃに示されるコアネットワーク５０６は、メディアゲートウェイ（ＭＧＷ）５４４、移動通信交換局（ＭＳＣ）５４６、加入者パケット交換機（ＳＧＳＮ）５４８、および／または中継パケット交換機（ＧＧＳＮ）５５０を含んでもよい。前記の要素のそれぞれは、コアネットワーク５０６の一部として示されるが、これらの要素のうちのどれか１つが、コアネットワーク事業者以外の事業体によって所有され、および／または運営されていてもよいことは理解されるであろう。
【０１１９】
ＲＡＮ５０４のＲＮＣ５４２ａは、ＩｕＣＳインターフェースを介してコアネットワーク５０６内のＭＳＣ５４６に接続してもよい。ＭＳＣ５４６は、ＭＧＷ５４４に接続してもよい。ＭＳＣ５４６およびＭＧＷ５４４は、ＷＴＲＵ５０２ａ、５０２ｂ、および５０２ｃと、従来の地上通信回線を使用する通信デバイスとの間の通信が円滑に行われるように、ＷＴＲＵ５０２ａ、５０２ｂ、および５０２ｃがＰＳＴＮ５０８などの回路交換ネットワークへアクセスすることを可能にする。
【０１２０】
ＲＡＮ５０４のＲＮＣ５４２ａは、ＩｕＰＳインターフェースを介してコアネットワーク５０６内のＳＧＳＮ５４８に接続してもよい。ＳＧＳＮ５４８は、ＧＧＳＮ５５０に接続してもよい。ＳＧＳＮ５４８およびＧＧＳＮ５５０は、ＷＴＲＵ５０２ａ、５０２ｂ、および５０２ｃとＩＰ対応デバイスとの間の通信が円滑に行われるように、ＷＴＲＵ５０２ａ、５０２ｂ、５０２ｃがインターネット５１０などのパケット交換ネットワークへアクセスすることを可能にする。
【０１２１】
上述したように、コアネットワーク５０６によって、その他のサービスプロバイダによって所有され、および／または運営されている他の有線もしくは無線ネットワークを含むことができる、ネットワーク５１２に接続してもよい。
【０１２２】
図８は、一実施形態によるＲＡＮ５０４およびコアネットワーク９０６のシステム図である。上記のように、ＲＡＮ５０４では、エアーインターフェース５１６上でＷＴＲＵ５０２ａ、５０２ｂ、および５０２ｃと通信するためにＥ−ＵＴＲＡ無線技術を使用してもよい。ＲＡＮ５０４は、コアネットワーク５０６と通信してもよい。
【０１２３】
ＲＡＮ５０４は、ｅＮｏｄｅＢ５４０ａ、５４０ｂ、および５４０ｃを含んでもよいが、ＲＡＮ５０４は、１の実施形態との整合性を維持しながら任意の数のｅＮｏｄｅＢを含んでもよいことが理解されるであろう。ｅＮｏｄｅＢ５４０ａ、５４０ｂ、および５４０ｃは、それぞれ、エアーインターフェース５１６上でＷＴＲＵ５０２ａ、５０２ｂ、および５０２ｃと通信するための１または複数のトランシーバーを含んでもよい。１の実施形態において、ｅＮｏｄｅＢ５４０ａ、５４０ｂ、および５４０ｃは、ＭＩＭＯ技術を実装してもよい。そのため、ｅＮｏｄｅＢ５４０ａは、例えば、複数のアンテナを使用して、ＷＴＲＵ５０２ａに無線信号を送信し、ＷＴＲＵ５０２ａから無線信号を受信してもよい。
【０１２４】
ｅＮｏｄｅＢ５４０ａ、５４０ｂ、５４０ｃの各々は、特定のセル（図示せず）に関連付けてもよく、無線リソース管理決定、ハンドオーバー決定、アップリンクおよび／またはダウンリンクにおけるユーザーのスケジューリングなどを処理するように構成されてもよい。図８に示されるように、ｅＮｏｄｅＢ５４０ａ、５４０ｂ、および５４０ｃは、Ｘ２インターフェース上で互いに通信してもよい。
【０１２５】
図８に示されるコアネットワーク５０６は、モビリティー管理エンティティ（ＭＭＥ）５４２、サービングゲートウェイ５４４、およびパケットデータネットワーク（ＰＤＮ）５４６を含んでもよい。前記の要素のそれぞれは、コアネットワーク５０６の一部として示されるが、これらの要素のうちのどれか１つが、コアネットワーク事業者以外の事業体によって所有され、および／または運営されてもよいことは理解されるであろう。
【０１２６】
ＭＭＥ５４２は、Ｓ１インターフェースを介してＲＡＮ５０４のｅＮｏｄｅＢ５４２ａ、５４２ｂ、および５４２ｃの各々に接続され、制御ノードとして使用されてもよい。例えば、ＭＭＥ５４２は、ＷＴＲＵ５０２ａ、５０２ｂ、および５０２ｃのユーザーの認証、ベアラ活性化／非活性化、ＷＴＲＵ５０２ａ、５０２ｂ、および５０２ｃの初期アタッチ時の特定のサービングゲートウェイの選択を行う役割を有してもよい。ＭＭＥ５４２は、ＲＡＮ５０４とＧＳＭまたはＷＣＤＭＡなどのその他の無線技術を使用するその他のＲＡＮ（図示せず）とを切り換えるための制御プレーン機能も含んでもよい。
【０１２７】
サービングゲートウェイ５４４は、Ｓ１インターフェースを介してＲＡＮ５０４のｅＮｏｄｅＢ５４０ａ、５４０ｂ、および５４０ｃの各々に接続されてもよい。サービングゲートウェイ５４４は、一般に、ＷＴＲＵ５０２ａ、５０２ｂ、および５０２ｃとの間でデータパケットのルーティング、および転送を実行することができる。サービングゲートウェイ５４４は、ｅＮｏｄｅＢ間のハンドオーバー時のユーザープレーンのアンカリング、ＷＴＲＵ５０２ａ、５０２ｂ、および５０２ｃに対してダウンリンクデータが利用可能になったときにページングをトリガーすること、ＷＴＲＵ５０２ａ、５０２ｂ、および５０２ｃのコンテキストを管理し、格納することなどの、その他の機能も実行してもよい。
【０１２８】
サービングゲートウェイ５４４は、ＰＤＮゲートウェイ５４６に接続してもよく、これは、ＷＴＲＵ５０２ａ、５０２ｂ、および５０２ｃとＩＰ対応デバイスとの間の通信が円滑に行われるように、ＷＴＲＵ５０２ａ、５０２ｂ、および５０２ｃがインターネット５１０などのパケット交換ネットワークへアクセスすることを可能にする。
【０１２９】
コアネットワーク５０６は、その他のネットワークとの通信を円滑に行えるようにすることができる。例えば、コアネットワーク５０６は、ＷＴＲＵ５０２ａ、５０２ｂ、および５０２ｃと、従来の地上通信回線を使用する通信デバイスとの間の通信が円滑に行われるように、ＷＴＲＵ５０２ａ、５０２ｂ、および５０２ｃがＰＳＴＮ５０８などの回路交換ネットワークへアクセスすることを可能にする。例えば、コアネットワーク５０６は、コアネットワーク５０６とＰＳＴＮ５０８との間のインターフェースとして機能するＩＰゲートウェイ（例えば、ＩＰマルチメディアサブシステム（ＩＭＳ）サーバー）を含んでもよく、またはそれと通信してもよい。それに加えて、コアネットワーク５０６によって、ＷＴＲＵ５０２ａ、５０２ｂ、および５０２ｃは、その他のサービスプロバイダによって所有され、および／または運営されているその他の有線もしくは無線ワークを含むことができる、ネットワーク５１２にアクセスすることが可能になる。
【０１３０】
図９は、１の実施形態によるＲＡＮ５０４およびコアネットワーク５０６のシステム図である。ＲＡＮ５０４は、エアーインターフェース５１６上でＷＴＲＵ５０２ａ、５０２ｂ、および５０２ｃと通信するために、ＩＥＥＥ８０２．１６無線技術を採用するアクセスサービスネットワーク（ＡＳＮ）であってもよい。以下でさらに説明するように、ＷＴＲＵ５０２ａ、５０２ｂ、および５０２ｃ、ＲＡＮ５０４、ならびにコアネットワーク５０６の異なる機能的エンティティの間の通信リンクを参照ポイントとして定義してもよい
【０１３１】
図９に示されるように、ＲＡＮ５０４は、基地局５４０ａ、５４０ｂ、および５４０ｃ、ならびにＡＳＮゲートウェイ５４２を含んでもよいが、ＲＡＮ５０４は、１の実施形態との整合性を維持しながら任意の数の基地局およびＡＳＮゲートウェイを含んでもよい。基地局５４０ａ、５４０ｂ、および５４０ｃは、それぞれ、ＲＡＮ５０４の特定のセル（図示せず）と関連付けられ、それぞれエアーインターフェース５１６上でＷＴＲＵ５０２ａ、５０２ｂ、および５０２ｃと通信するための１または複数のトランシーバーを含んでもよい。１の実施形態において、基地局５４０ａ、５４０ｂ、および５４０ｃは、ＭＩＭＯ技術を実装してもよい。そのため、基地局５４０ａは、例えば、複数のアンテナを使用して、ＷＴＲＵ５０２ａに無線信号を送信し、ＷＴＲＵ５０２ａから無線信号を受信してもよい。基地局５４０ａ、５４０ｂ、および５４０ｃは、ハンドオフのトリガー、トンネル確立、無線リソース管理、トラフィック分類、サービス品質（ＱｏＳ）、およびポリシーエンフォースメントなどのモビリティー管理機能を含んでもよい。ＡＳＮゲートウェイ５４２は、トラフィックアグリゲーションポイントとして使用され、ページング、加入者プロファイルのキャッシング、コアネットワーク５０６へのルーティングの機能を受け持ってもよい。
【０１３２】
ＷＴＲＵ５０２ａ、５０２ｂ、および５０２ｃとＲＡＮ５０４との間のエアーインターフェース５１６は、ＩＥＥＥ８０２．１６仕様を実装するＲ１参照ポイントとして定義されてもよい。それに加えて、ＷＴＲＵ５０２ａ、５０２ｂ、および５０２ｃの各々は、コアネットワーク５０６との論理インターフェース（図示せず）を確立してもよい。ＷＴＲＵ５０２ａ、５０２ｂ、および５０２ｃとコアネットワーク５０６との間の論理インターフェースは、認証、認可、ＩＰホスト構成管理、および／またはモビリティー管理に使用することができる、Ｒ２参照ポイントとして定義されてもよい。
【０１３３】
基地局５４０ａ、５４０ｂ、および５４０ｃの各々の間の通信リンクは、ＷＴＲＵのハンドオーバーおよび基地局間のデータの転送を円滑にするためのプロトコルを含む、Ｒ８参照ポイントとして定義されてもよい。基地局５４０ａ、５４０ｂ、および５４０ｃとＡＳＮゲートウェイ５４２との間の通信リンクは、Ｒ６参照ポイントとして提示されてもよい。Ｒ６参照ポイントは、ＷＴＲＵ５０２ａ、５０２ｂ、および５０２ｃの各々に関連付けられているモビリティーイベントに基づいてモビリティー管理を円滑に行うためのプロトコルを含んでもよい。
【０１３４】
図９に示されるように、ＲＡＮ５０４をコアネットワーク５０６に接続してもよい。ＲＡＮ５０４とコアネットワーク５０６との間の通信リンクは、例えば、データ転送およびモビリティー管理機能を円滑にするプロトコルを含むＲ３参照ポイントとして定義されてもよい。コアネットワーク５０６は、モバイルＩＰホームエージェント（ＭＩＰ−ＨＡ）５４４、認証／認可／アカウンティング（ＡＡＡ）サーバー５４６、およびゲートウェイ５４８を含んでもよい。前記の要素の各々は、コアネットワーク５０６の一部として示されているが、これらの要素のうちのどれか１つが、コアネットワーク事業者以外の事業体によって所有され、および／または運営されていてもよいことは理解されるであろう。
【０１３５】
ＭＩＰ−ＨＡは、ＩＰアドレス管理を受け持ち、ＷＴＲＵ５０２ａ、５０２ｂ、および５０２ｃが異なるＡＳＮおよび／または異なるコアネットワーク間でローミングすることを可能にする。ＭＩＰ−ＨＡ５４４は、ＷＴＲＵ５０２ａ、５０２ｂ、および５０２ｃとＩＰ対応デバイスとの間の通信が円滑に行われるように、ＷＴＲＵ５０２ａ、５０２ｂ、および５０２ｃがインターネット５１０などのパケット交換ネットワークへのアクセスすることを可能にする。ＡＡＡサーバー５４６は、ユーザー認証およびユーザーサービスのサポートを受け持ってもよい。ゲートウェイ５４８は、その他のネットワークとの相互のやり取りを円滑にすることができる。例えば、ゲートウェイ５４８は、ＷＴＲＵ５０２ａ、５０２ｂ、および５０２ｃと従来の地上通信回線を使用する通信デバイスとの間の通信が円滑に行われるように、ＷＴＲＵ５０２ａ、５０２ｂ、および５０２ｃがＰＳＴＮ５０８などの回路交換ネットワークへアクセスすることを可能にする。それに加えて、ゲートウェイ５４８によって、ＷＴＲＵ５０２ａ、５０２ｂ、および５０２ｃは、その他のサービスプロバイダによって所有され、および／または運営されている他の有線もしくは無線ネットワークを含むことができる、ネットワーク５１２にアクセスすることが可能になる。
【０１３６】
図９には示されていないが、ＲＡＮ５０４は、その他のＡＳＮに接続され、コアネットワーク５０６は、他のコアネットワークに接続されてもよいことが理解されるであろう。ＲＡＮ５０４とその他のＡＳＮとの間の通信リンクは、ＲＡＮ５０４とその他のＡＳＮとの間のＷＴＲＵ５０２ａ、５０２ｂ、および５０２ｃのモビリティーを調整するためのプロトコルを含むことができる、Ｒ４参照ポイントとして定義されてもよい。コアネットワーク５０６とその他のコアネットワークとの間の通信リンクは、ホームコアネットワークと移動先コアネットワーク（visited core network）との間の相互のやり取りを円滑にするためのプロトコルを含むことができる、Ｒ５参照ポイントとして定義されてもよい。
【０１３７】
特徴および要素が特定の組み合わせで上記説明されているが、当業者であれば、それぞれの特徴もしくは要素は単独で、または他の特徴および要素と組み合わせて使用してもよいことを理解するであろう。それに加えて、本明細書で説明される方法は、コンピューターまたはプロセッサにより実行できるようにコンピューター可読記憶媒体内に組み込まれたコンピュータープログラム、ソフトウェア、またはファームウェアにより実装されてもよい。コンピューター可読記憶媒体の例は、電子信号（有線で、または無線接続で送信される）およびコンピューター可読記憶媒体を含むことができる。コンピューター可読記憶媒体の例は、ＲＯＭ、ＲＡＭ、レジスタ、キャッシュメモリー、半導体メモリーデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光学媒体を含むことができるが、これらに限定されない。ソフトウェアとの関連性を持つプロセッサは、ＷＴＲＵ、ＵＥ、端末、基地局、ＲＮＣ、またはホストコンピューターにおいて使用するための無線周波数トランシーバーを実装するために使用されてもよい。
【図１】
2013524650.tif 000003
【図２】
2013524650.tif 000004
【図３】
2013524650.tif 000005
【図４】
2013524650.tif 000006
【図５】
2013524650.tif 000007
【図６】
2013524650.tif 000008
【図７】
2013524650.tif 000009
【図８】
2013524650.tif 000010
【図９】
2013524650.tif 000011
【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）によって実行される方法であって、前記ＷＴＲＵはマニュアルモードを有し、
ＯＭＡ−ＤＭ（Open Mobile Alliance Device Management）またはＳＩＭ−ＯＴＡ（subscriber identity module over-the-air）通信接続のうちの少なくとも一方を介して、パブリックランドモバイルネットワーク（ＰＬＭＮ）に対応する構成を受信するステップであって、前記構成により、前記マニュアルモードにある前記ＷＴＲＵが、ＡＣＬ（allowed CSG list）およびＯＣＬ（operator CSG list）に含まれない、１または複数のＣＳＧ（closed subscriber group）ＩＤを表示する、ステップを備える、
ことを特徴とする方法。
【請求項２】
前記ＷＴＲＵが前記ＡＣＬの抑制を制御することを可能にするメッセージを受信するステップであって、前記ＡＣＬにある各ＣＳＧは個々のＣＳＧ−ＩＤを有する、ステップと、
前記メッセージを受信したことに応答して、前記ＡＣＬの抑制を制御するステップと、
を備えることを特徴とする請求項１に記載の方法。
【請求項３】
前記メッセージは、前記ＡＣＬの前記抑制に対する持続時間を示し、
前記ＡＣＬの抑制を制御するステップは、前記持続時間の少なくとも一部に基づく、
ことを特徴とする請求項２に記載の方法。
【請求項４】
前記メッセージはさらに、前記ＷＴＲＵが前記ＡＣＬにあるＣＳＧセルのユーザ選択を回避することを可能にし、
前記ＡＣＬの抑制を制御するステップは、前記メッセージを受信したことに応答して、前記ＡＣＬにある前記ＣＳＧセルの選択を回避するステップを含む、
ことを特徴とする請求項２に記載の方法。
【請求項５】
前記ＡＣＬにあるＣＳＧセルの選択を抑制するステップをさらに備えることを特徴とする請求項２に記載の方法。
【請求項６】
前記ＡＣＬの抑制を制御するステップは、前記ＡＣＬの前記抑制を終了するステップをさらに備えることを特徴とする請求項２に記載の方法。
【請求項７】
前記ＷＴＲＵの前記ＡＣＬが抑制されているかのインジケーションを伝達するステップをさらに備えることを特徴とする請求項２に記載の方法。
【請求項８】
ＰＬＭＮに対し、前記ＡＣＬについての抑制ステータスを保存するステップをさらに備えることを特徴とする請求項２に記載の方法。
【請求項９】
前記ＡＣＬの抑制を制御するステップは、前記ＷＴＲＵが前記ＰＬＭＮ内にあるかどうかについて、少なくとも一部に基づいて、前記ＡＣＬの抑制を制御するステップを含むことを特徴とする請求項８に記載の方法。
【請求項１０】
ＯＣＬに含まれない、１または複数のＣＳＧ−ＩＤの表示するステップをさらに備えることを特徴とする請求項２に記載の方法。
【国際調査報告】
2013524650.tif 000012
2013524650.tif 000013
2013524650.tif 000014
2013524650.tif 000015
2013524650.tif 000016
2013524650.tif 000017